(57)【特許請求の範囲】
【請求項１】
放電灯と、
前記放電灯に駆動電流を供給することによって駆動電力を供給して前記放電灯を駆動する放電灯駆動部と、
前記駆動電力の最大値が互いに異なる複数の動作モードを有し、前記動作モードに基づいて前記放電灯駆動部を制御する制御部と、
を含み、
前記制御部は、
移行期間を経て前記動作モードを切り替え、
前記移行期間の前半における前記駆動電流の周波数の平均値が、前記移行期間の後半における前記駆動電流の周波数の平均値よりも大きくなるように前記放電灯駆動部を制御する、プロジェクター。
【請求項２】
請求項１に記載のプロジェクターにおいて、
前記制御部は、
前記移行期間の前半における前記駆動電流の周波数の最小値が、前記移行期間の後半における前記駆動電流の周波数の最小値よりも大きくなるように前記放電灯駆動部を制御する、プロジェクター。
【請求項３】
請求項１又は２に記載のプロジェクターにおいて、
前記制御部は、
前記移行期間後の前記動作モードが、第１期間と、前記駆動電力が前記第１期間よりも大きい第２期間とを繰り返すモードである場合には、
前記移行期間において、第３期間と、前記駆動電力が前記第３期間よりも大きい第４期間とを繰り返し、
前記移行期間の前半における前記第４期間での前記駆動電流の周波数の最小値が、前記移行期間の後半における前記第４期間での前記駆動電流の周波数の最小値よりも大きくなるように前記放電灯駆動部を制御する、プロジェクター。
【請求項４】
請求項１ないし３のいずれか１項に記載のプロジェクターにおいて、
前記制御部は、
前記移行期間の前半の時間に対する、前記移行期間の前半において前記駆動電流の周波数が最小値となる時間の割合が、前記移行期間の後半の時間に対する、前記移行期間の後半において前記駆動電流の周波数が最小値となる時間の割合よりも小さくなるように前記放電灯駆動部を制御する、プロジェクター。
【請求項５】
請求項１ないし４のいずれか１項に記載のプロジェクターにおいて、
前記制御部は、
前記移行期間後の前記動作モードが、第１期間と、前記駆動電力が前記第１期間よりも大きい第２期間とを繰り返すモードである場合には、
前記移行期間において、第３期間と、前記駆動電力が前記第３期間よりも大きい第４期間とを繰り返し、
前記移行期間の前半の時間に対する、前記移行期間の前半における前記第４期間での前記駆動電流の周波数が最小値となる時間の割合が、前記移行期間の後半の時間に対する、前記移行期間の後半における前記第４期間での前記駆動電流の周波数が最小値となる時間の割合よりも小さくなるように前記放電灯駆動部を制御する、プロジェクター。
【請求項６】
請求項１ないし５のいずれか１項に記載のプロジェクターにおいて、
前記制御部は、
前記移行期間の直前の前記動作モードが継続した時間が長いほど、前記移行期間の長さが長くなるように前記放電灯駆動部を制御する、プロジェクター。
【請求項７】
請求項１ないし６のいずれか１項に記載のプロジェクターにおいて、
前記制御部は、
前記移行期間の直前の前記動作モードが継続した時間が長いほど、前記移行期間の前半における前記駆動電流の周波数の平均値が高くなるように前記放電灯駆動部を制御する、プロジェクター。
【請求項８】
請求項１ないし７のいずれか１項に記載のプロジェクターにおいて、
前記制御部は、
前記移行期間前の前記動作モードにおける前記駆動電力の最大値と、前記移行期間後の前記動作モードにおける前記駆動電力の最大値との差が大きいほど、前記移行期間の長さが長くなるように前記放電灯駆動部を制御する、プロジェクター。
【請求項９】
請求項１ないし８のいずれか１項に記載のプロジェクターにおいて、
前記制御部は、
前記移行期間前の前記動作モードにおける前記駆動電力の最大値と、前記移行期間後の前記動作モードにおける前記駆動電力の最大値との差が大きいほど、前記移行期間の前半における前記駆動電流の周波数の平均値が高くなるように前記放電灯駆動部を制御する、プロジェクター。
【請求項１０】
請求項１ないし９のいずれか１項に記載のプロジェクターにおいて、
前記放電灯の劣化状態を検出する状態検出部をさらに含み、
前記制御部は、
前記劣化状態の進行に伴って、前記移行期間の長さが長くなるように前記放電灯駆動部を制御する、プロジェクター。
【請求項１１】
請求項１ないし９のいずれか１項に記載のプロジェクターにおいて、
前記放電灯の劣化状態を検出する状態検出部をさらに含み、
前記制御部は、
前記劣化状態の進行に伴って、前記移行期間の前半における前記駆動電流の周波数の平均値が高くなるように前記放電灯駆動部を制御する、プロジェクター。
【請求項１２】
請求項１ないし１１のいずれか１項に記載のプロジェクターにおいて、
前記制御部は、
前記移行期間前の前記動作モードにおける前記駆動電力の平均値である第１平均電力と、前記移行期間後の前記動作モードにおける前記駆動電力の平均値である第２平均電力とが異なる場合に、
前記移行期間の少なくとも一部において、前記駆動電力が、前記第１平均電力と前記第２平均電力との中間の値になるように前記放電灯駆動部を制御する、プロジェクター。
【発明の詳細な説明】
【技術分野】
【０００１】
本発明は、プロジェクターに関する。
【背景技術】
【０００２】
高圧水銀ランプやメタルハライドランプなどの放電灯（放電ランプ）を光源として用いたプロジェクターが実用化されている。これらの放電灯においては、放電による電極の消耗により電極の形状が変化し、これにより放電開始位置が急に変わるフリッカーが発生することがある。フリッカーが発生すると、放電灯の輝度が突然大きく変動する。このため、プロジェクターに用いた放電灯にフリッカーが発生した場合には、使用者に不快感を与えることになる。
【０００３】
このような問題を解決するために、特許文献１には、フリッカーを検出した場合には、放電灯に供給する電力を大きくして、フリッカーの発生を防止する光源装置が開示されている。
【先行技術文献】
【特許文献】
【０００４】
【特許文献１】特開２００５−２３５４４５号公報
【発明の概要】
【発明が解決しようとする課題】
【０００５】
しかしながら、フリッカーの発生は未然に防ぐことが好ましい。したがって、フリッカーが発生するリスクを低減することが求められる。
【０００６】
本発明は、以上のような問題点に鑑みてなされたものである。本発明のいくつかの態様によれば、フリッカーの発生を抑制できるプロジェクターを提供することができる。
【課題を解決するための手段】
【０００７】
本発明に係るプロジェクターは、放電灯と、前記放電灯に駆動電流を供給することによって駆動電力を供給して前記放電灯を駆動する放電灯駆動部と、前記駆動電力の最大値が互いに異なる複数の動作モードを有し、前記動作モードに基づいて前記放電灯駆動部を制御する制御部と、を含み、前記制御部は、移行期間を経て前記動作モードを切り替え、前記移行期間の前半における前記駆動電流の周波数の平均値が、前記移行期間の後半における前記駆動電流の周波数の平均値よりも大きくなるように前記放電灯駆動部を制御する。
【０００８】
動作モードを切り替えると、駆動電力の最大値が変わる。本発明によれば、制御部は、移行期間を経て動作モードを切り替え、移行期間の前半における駆動電流の周波数の平均値が、移行期間の後半における駆動電流の周波数の平均値よりも大きくなるように放電灯駆動部を制御するので、動作モードの切り替えによって駆動電力の最大値が小さくなる場合には、放電灯の電極における放電の起点位置を早期に安定させることができる。また、動作モードの切り替えによって駆動電力の最大値が大きくなる場合には、放電灯の電極において放電の起点となる突起が消失することを抑制できる。したがって、フリッカーの発生を抑制できるプロジェクターを実現できる。
【０００９】
このプロジェクターは、前記制御部は、前記移行期間の前半における前記駆動電流の周波数の最小値が、前記移行期間の後半における前記駆動電流の周波数の最小値よりも大きくなるように前記放電灯駆動部を制御してもよい。
【００１０】
これによって、動作モードの切り替えによって駆動電力の最大値が小さくなる場合には、放電灯の電極における放電の起点位置をさらに早期に安定させることができる。また、動作モードの切り替えによって駆動電力の最大値が大きくなる場合には、放電灯の電極において放電の起点となる突起が消失することをさらに抑制できる。したがって、フリッカーの発生をさらに抑制できるプロジェクターを実現できる。
【００１１】
このプロジェクターは、前記制御部は、前記移行期間後の前記動作モードが、前記駆動電力が相対的に小さい第１期間と、前記駆動電力が相対的に小さい第２期間とを繰り返すモードである場合には、前記移行期間の前半における前記第２期間での前記駆動電流の周波数の最小値が、前記移行期間の後半における前記第２期間での前記駆動電流の周波数の最小値よりも大きくなるように前記放電灯駆動部を制御してもよい。
【００１２】
第２期間は第１期間よりも駆動電力が大きいため、放電灯の電極の状態に対する影響が大きい。したがって、移行期間の前半における第２期間での駆動電流の周波数の最小値が、移行期間の後半における第２期間での駆動電流の周波数の最小値よりも大きくなるように放電灯駆動部を制御することによって、フリッカーの発生をさらに抑制できる。
【００１３】
このプロジェクターは、前記制御部は、前記移行期間の前半の時間に対する、前記移行期間の前半において前記駆動電流の周波数が最小値となる時間の割合が、前記移行期間の後半の時間に対する、前記移行期間の後半において前記駆動電流の周波数が最小値となる時間の割合よりも小さくなるように前記放電灯駆動部を制御してもよい。
【００１４】
これによって、動作モードの切り替えによって駆動電力の最大値が小さくなる場合には、放電灯の電極における放電の起点位置を早期に安定させることができる。また、動作モードの切り替えによって駆動電力の最大値が大きくなる場合には、放電灯の電極において放電の起点となる突起が消失することを抑制できる。したがって、フリッカーの発生をさらに抑制できるプロジェクターを実現できる。
【００１５】
このプロジェクターは、前記制御部は、前記移行期間後の前記動作モードが、前記駆動電力が相対的に小さい第１期間と、前記駆動電力が相対的に大きい第２期間とを繰り返すモードである場合には、前記移行期間の前半の時間に対する、前記移行期間の前半における前記第２期間での前記駆動電流の周波数が最小値となる時間の割合が、前記移行期間の後半の時間に対する、前記移行期間の後半における前記第２期間での前記駆動電流の周波数が最小値となる時間の割合よりも小さくなるように前記放電灯駆動部を制御してもよい。
【００１６】
第２期間は第１期間よりも駆動電力が大きいため、放電灯の電極の状態に対する影響が大きい。したがって、移行期間の前半の時間に対する、移行期間の前半における第２期間での駆動電流の周波数の最小値となる時間の割合が、移行期間の後半の時間に対する、移行期間の後半における第２期間での駆動電流の周波数の最小値となる時間の割合よりも小さくなるように放電灯駆動部を制御することによって、フリッカーの発生をさらに抑制できる。
【００１７】
このプロジェクターは、前記制御部は、前記移行期間の直前の前記動作モードが継続した時間が長いほど、前記移行期間の長さが長くなるように前記放電灯駆動部を制御してもよい。
【００１８】
特定の動作モードが継続する時間が長くなるほど、放電灯の電極の形状は、その動作モードで安定して駆動されやすい形状となり、他の動作モードで安定して駆動されやすい形状との差が大きくなる。したがって、移行期間の直前の動作モードが継続した時間が長いほど、移行期間の長さが長くなるように放電灯駆動部を制御することによって、さらに緩やかに電極の形状を変えることで、フリッカーの発生をさらに抑制できる。
【００１９】
このプロジェクターは、前記制御部は、前記移行期間の直前の前記動作モードが継続した時間が長いほど、前記移行期間の前半における前記駆動電流の周波数の平均値が高くなるように前記放電灯駆動部を制御してもよい。
【００２０】
特定の動作モードが継続する時間が長くなるほど、放電灯の電極の形状は、その動作モードで安定して駆動されやすい形状となり、他の動作モードで安定して駆動されやすい形状との差が大きくなる。したがって、移行期間の直前の動作モードが継続した時間が長いほど、移行期間の前半における駆動電流の周波数の平均値が高くなるように放電灯駆動部を制御することによって、動作モードの切り替えによって駆動電力の最大値が小さくなる場合には、放電灯の電極における放電の起点位置をさらに早期に安定させることができる。また、動作モードの切り替えによって駆動電力の最大値が大きくなる場合には、放電灯の電極において放電の起点となる突起が消失することをさらに抑制できる。したがって、フリッカーの発生をさらに抑制できるプロジェクターを実現できる。
【００２１】
このプロジェクターは、前記制御部は、前記移行期間前の前記動作モードにおける前記駆動電力の最大値と、前記移行期間後の前記動作モードにおける前記駆動電力の最大値との差が大きいほど、前記移行期間の長さが長くなるように前記放電灯駆動部を制御してもよい。
【００２２】
移行期間前の動作モードにおける駆動電力の最大値と、移行期間後の動作モードにおける駆動電力の最大値との差が大きいほど、移行期間前の動作モードで安定して駆動されやすい放電灯の電極の形状と、移行期間後の動作モードで安定して駆動されやすい放電灯の電極の形状との差が大きくなる。したがって、移行期間前の動作モードにおける駆動電力の最大値と、移行期間後の動作モードにおける駆動電力の最大値との差が大きいほど、移行期間の長さが長くなるように放電灯駆動部を制御することによって、さらに緩やかに電極の形状を変えることで、フリッカーの発生をさらに抑制できる。
【００２３】
このプロジェクターは、前記制御部は、前記移行期間前の前記動作モードにおける前記駆動電力の最大値と、前記移行期間後の前記動作モードにおける前記駆動電力の最大値との差が大きいほど、前記移行期間の前半における前記駆動電流の周波数の平均値が高くなるように前記放電灯駆動部を制御してもよい。
【００２４】
移行期間前の動作モードにおける駆動電力の最大値と、移行期間後の動作モードにおける駆動電力の最大値との差が大きいほど、移行期間前の動作モードで安定して駆動されやすい放電灯の電極の形状と、移行期間後の動作モードで安定して駆動されやすい放電灯の電極の形状との差が大きくなる。したがって、移行期間前の動作モードにおける駆動電力の最大値と、移行期間後の動作モードにおける駆動電力の最大値との差が大きいほど、移行期間の前半における駆動電流の周波数の平均値が高くなるように放電灯駆動部を制御することによって、動作モードの切り替えによって駆動電力の最大値が小さくなる場合には、放電灯の電極における放電の起点位置をさらに早期に安定させることができる。また、動作モードの切り替えによって駆動電力の最大値が大きくなる場合には、放電灯の電極において放電の起点となる突起が消失することをさらに抑制できる。したがって、フリッカーの発生をさらに抑制できるプロジェクターを実現できる。
【００２５】
このプロジェクターは、前記放電灯の劣化状態を検出する状態検出部をさらに含み、前記制御部は、前記劣化状態の進行に伴って、前記移行期間の長さが長くなるように前記放電灯駆動部を制御してもよい。
【００２６】
状態検出部は、劣化状態の程度を表す値として、例えば、放電灯の駆動電圧、放電灯の駆動電圧の時間変化、放電灯の光量、放電灯の光量の時間変化、放電灯の累積点灯時間等を検出してもよい。
【００２７】
電極の劣化状態が進行すると、電極の溶融性が低下するため、電極が意図せぬ形状に変形しやすく、フリッカーの発生のリスクが高くなる。したがって、劣化状態の進行に伴って、移行期間の長さが長くなるように放電灯駆動部を制御することによって、放電灯の電極における放電の起点位置を早期に安定させることで、フリッカーの発生を抑制できる。
【００２８】
このプロジェクターは、前記放電灯の劣化状態を検出する状態検出部をさらに含み、前記制御部は、前記劣化状態の進行に伴って、前記移行期間の前半における前記駆動電流の周波数の平均値が高くなるように前記放電灯駆動部を制御してもよい。
【００２９】
電極の劣化状態が進行すると、電極の溶融性が低下するため、電極が意図せぬ形状に変形しやすく、フリッカーの発生のリスクが高くなる。したがって、劣化状態の進行に伴って、移行期間の前半における駆動電流の周波数の平均値が高くなるように放電灯駆動部を制御することによって、放電灯の電極における放電の起点位置を早期に安定させることで、フリッカーの発生を抑制できる。
【００３０】
このプロジェクターは、前記制御部は、前記移行期間前の前記動作モードにおける前記駆動電力の平均値である第１平均電力と、前記移行期間後の前記動作モードにおける前記駆動電力の平均値である第２平均電力とが異なる場合に、前記移行期間の少なくとも一部において、前記駆動電力が、前記第１平均電力と前記第２平均電力との中間の値になるように前記放電灯駆動部を制御してもよい。
【００３１】
移行期間において駆動電力を緩やかに変化させることによって、さらに緩やかに電極の形状を変えることで、フリッカーの発生をさらに抑制できる。
【図面の簡単な説明】
【００３２】
【図１】本実施形態に係るプロジェクター５００の光学系を示す説明図。
【図２】光源装置２００の構成を示す説明図。
【図３】本実施形態に係るプロジェクター５００の回路構成の一例を示す図。
【図４】放電灯点灯装置１０の回路構成の一例を示す図。
【図５】制御部４０の他の構成例について説明するための図。
【図６】図６（Ａ）ないし図６（Ｄ）は、放電灯９０に供給する駆動電流Ｉの極性と電極の温度との関係を示す説明図。
【図７】図７（Ａ）ないし図７（Ｃ）は、駆動電力の最大値と放電灯の電極の形状との関係を説明するための図。
【図８】第１期間、第２期間及び切替タイミングについて説明するための図。
【図９】第１モードにおける駆動電力の制御例を表すタイミングチャート。
【図１０】図１０（Ａ）ないし図１０（Ｃ）は、第１モードにおける駆動電流Ｉの制御例を表すタイミングチャート。
【図１１】図１１（Ａ）は、第２モードにおける駆動電力の制御例を表すタイミングチャート、図１１（Ｂ）は、第２モードにおける駆動電流Ｉの制御例を表すタイミングチャート。
【図１２】図１２（Ａ）は、第３モードにおける駆動電力の制御例を表すタイミングチャート、図１２（Ｂ）は、第３モードにおける駆動電流Ｉの制御例を表すタイミングチャート。
【図１３】図１３（Ａ）ないし図１３（Ｆ）は、移行期間について説明するための図。
【図１４】移行期間Ｔ１２、移行期間Ｔ１３、移行期間Ｔ２３及び移行期間Ｔ３２における制御例について説明するためのグラフ。
【図１５Ａ】移行期間Ｔ２１及び移行期間Ｔ３１における駆動電流Ｉの制御例を説明するためのタイミングチャート。
【図１５Ｂ】移行期間Ｔ２１及び移行期間Ｔ３１における駆動電流Ｉの制御例を説明するためのタイミングチャート。
【図１５Ｃ】移行期間Ｔ２１及び移行期間Ｔ３１における駆動電流Ｉの制御例を説明するためのタイミングチャート。
【図１５Ｄ】移行期間Ｔ２１及び移行期間Ｔ３１における駆動電流Ｉの制御例を説明するためのタイミングチャート。
【図１５Ｅ】移行期間Ｔ２１及び移行期間Ｔ３１における駆動電流Ｉの制御例を説明するためのタイミングチャート。
【図１６】図１６（Ａ）は、移行期間Ｔ２１の制御例を説明するための図、図１６（Ｂ）は、移行期間Ｔ３１の制御例を説明するための図。
【図１７】第１変形例における移行期間Ｔ１３での制御例を説明するためのタイミングチャート。
【図１８】第１変形例における移行期間Ｔ１３での制御例を説明するためのグラフ。
【図１９】第１変形例における移行期間Ｔ１３での他の制御例を説明するためのグラフ。
【図２０】第２変形例における移行期間Ｔ３１での制御例を説明するためのグラフ。
【図２１】第３変形例における移行期間Ｔ１２、移行期間Ｔ１３及び移行期間Ｔ２３での制御例を説明するためのグラフ。
【図２２】第３変形例における移行期間Ｔ３１及び移行期間Ｔ２１での制御例を説明するためのグラフ。
【図２３】第６変形例における移行期間Ｔ１３での制御例を説明するためのグラフ。
【図２４】第７変形例における移行期間Ｔ１３及び移行期間Ｔ３１での制御例を説明するためのグラフ。
【発明を実施するための形態】
【００３３】
以下、本発明の好適な実施形態について図面を用いて詳細に説明する。なお、以下に説明する実施形態は、特許請求の範囲に記載された本発明の内容を不当に限定するものではない。また以下で説明される構成の全てが本発明の必須構成要件であるとは限らない。
【００３４】
１．本実施形態に係るプロジェクター
１−１．プロジェクターの光学系
図１は、本実施形態に係るプロジェクター５００の光学系を示す説明図である。プロジェクター５００は、光源装置２００と、平行化レンズ３０５と、照明光学系３１０と、色分離光学系３２０と、３つの液晶ライトバルブ３３０Ｒ、３３０Ｇ、３３０Ｂと、クロスダイクロイックプリズム３４０と、投写光学系３５０とを有している。
【００３５】
光源装置２００は、光源ユニット２１０と、放電灯点灯装置１０と、を有している。光源ユニット２１０は、主反射鏡１１２と副反射鏡５０（後述）と放電灯９０とを有している。放電灯点灯装置１０は、放電灯９０に駆動電力を供給して、放電灯９０を点灯させる。主反射鏡１１２は、放電灯９０から放出された光を、照射方向Ｄに向けて反射する。照射方向Ｄは、光軸ＡＸと平行である。光源ユニット２１０からの光は、平行化レンズ３０５を通過して照明光学系３１０に入射する。この平行化レンズ３０５は、光源ユニット２１０からの光を、平行化する。
【００３６】
照明光学系３１０は、光源装置２００からの光の照度を液晶ライトバルブ３３０Ｒ、３３０Ｇ、３３０Ｂにおいて均一化する。また、照明光学系３１０は、光源装置２００からの光の偏光方向を一方向に揃える。この理由は、光源装置２００からの光を液晶ライトバルブ３３０Ｒ、３３０Ｇ、３３０Ｂで有効に利用するためである。照度分布と偏光方向とが調整された光は、色分離光学系３２０に入射する。色分離光学系３２０は、入射光を、赤（Ｒ）、緑（Ｇ）、青（Ｂ）の３つの色光に分離する。３つの色光は、各色に対応付けられた液晶ライトバルブ３３０Ｒ、３３０Ｇ、３３０Ｂによって、それぞれ変調される。液晶ライトバルブ３３０Ｒ、３３０Ｇ、３３０Ｂは、液晶パネル５６０Ｒ、５６０Ｇ、５６０Ｂ（後述）と、液晶パネル５６０Ｒ、５６０Ｇ、５６０Ｂのそれぞれの光入射側及び出射側に配置される偏光板（不図示）を備える。変調された３つの色光は、クロスダイクロイックプリズム３４０によって合成される。合成光は、投写光学系３５０に入射する。投写光学系３５０は、入射光を、図示しないスクリーンに投写する。これにより、スクリーン上には画像が表示される。
【００３７】
なお、平行化レンズ３０５と、照明光学系３１０と、色分離光学系３２０と、クロスダイクロイックプリズム３４０と、投写光学系３５０とのそれぞれの構成としては、周知の種々の構成を採用可能である。
【００３８】
図２は、光源装置２００の構成を示す説明図である。光源装置２００は、光源ユニット２１０と放電灯点灯装置１０とを有している。図中には、光源ユニット２１０の断面図が示されている。光源ユニット２１０は、主反射鏡１１２と放電灯９０と副反射鏡５０とを有している。
【００３９】
放電灯９０の形状は、第１端部９０ｅ１から第２端部９０ｅ２まで、照射方向Ｄに沿って延びる棒形状である。放電灯９０の材料は、例えば、石英ガラス等の透光性材料である。放電灯９０の中央部は球状に膨らんでおり、その内には、放電空間９１が形成されている。放電空間９１内には、水銀、希ガス、金属ハロゲン化合物等を含む放電媒体であるガスが封入されている。
【００４０】
放電灯９０は、第１電極９２及び第２電極９３を含んでいる。図２に示す例では、第１電極９２及び第２電極９３は、放電空間９１内に突き出すように設けられている。第１電極９２は、放電空間９１の第１端部９０ｅ１側に配置され、第２電極９３は、放電空間９１の第２端部９０ｅ２側に配置されている。これらの第１電極９２及び第２電極９３の形状は、光軸ＡＸに沿って延びる棒形状である。放電空間９１内では、第１電極９２及び第２電極９３の電極先端部（「放電端」とも呼ぶ）が、所定距離だけ離れて向かい合っている。なお、これらの第１電極９２及び第２電極９３の材料は、例えば、タングステン等の金属である。
【００４１】
放電灯９０の第１端部９０ｅ１には、第１端子５３６が設けられている。第１端子５３６と第１電極９２とは、放電灯９０の内部を通る導電性部材５３４によって電気的に接続されている。同様に、放電灯９０の第２端部９０ｅ２には、第２端子５４６が設けられている。第２端子５４６と第２電極９３とは、放電灯９０の内部を通る導電性部材５４４によって電気的に接続されている。第１端子５３６及び第２端子５４６の材料は、例えば、タングステン等の金属である。また、各導電性部材５３４、５４４としては、例えば、モリブデン箔が利用される。
【００４２】
第１端子５３６及び第２端子５４６は、放電灯点灯装置１０に接続されている。放電灯点灯装置１０は、第１端子５３６及び第２端子５４６に、放電灯９０を駆動する駆動電流を供給する。その結果、第１電極９２及び第２電極９３の間でアーク放電が起きる。アーク放電により発生した光（放電光）は、破線の矢印で示すように、放電位置から全方向に向かって放射される。
【００４３】
放電灯９０の第１端部９０ｅ１には、固定部材１１４によって、主反射鏡１１２が固定されている。主反射鏡１１２の反射面（放電灯９０側の面）の形状は、回転楕円形状である。主反射鏡１１２は、放電光を照射方向Ｄに向かって反射する。なお、主反射鏡１１２の反射面の形状としては、回転楕円形状に限らず、放電光を照射方向Ｄに向かって反射するような種々の形状を採用可能である。例えば、回転放物線形状を採用してもよい。この場合は、主反射鏡１１２は、放電光を、光軸ＡＸにほぼ平行な光に変換することができる。したがって、平行化レンズ３０５を省略することができる。
【００４４】
放電灯９０の第２端部９０ｅ２側には、固定部材５２２によって、副反射鏡５０が固定されている。副反射鏡５０の反射面（放電灯９０側の面）の形状は、放電空間９１の第２端部９０ｅ２側を囲む球面形状である。副反射鏡５０は、放電光を、主反射鏡１１２に向かって反射する。これにより、放電空間９１から放射される光の利用効率を高めることが
できる。
【００４５】
なお、固定部材１１４、５２２の材料としては、放電灯９０の発熱に耐える任意の耐熱材料（例えば、無機接着剤）を採用可能である。また、主反射鏡１１２及び副反射鏡５０と放電灯９０との配置を固定する方法としては、主反射鏡１１２及び副反射鏡５０を放電灯９０に固定する方法に限らず、任意の方法を採用可能である。例えば、放電灯９０と主反射鏡１１２とを、独立に、プロジェクターの筐体（図示せず）に固定してもよい。副反射鏡５０についても同様である。
【００４６】
１−２．本実施形態に係るプロジェクターの回路構成
図３は、本実施形態に係るプロジェクター５００の回路構成の一例を示す図である。プロジェクター５００は、先に説明した光学系の他に、映像信号変換部５１０、直流電源装置８０、放電灯点灯装置１０、放電灯９０、液晶パネル５６０Ｒ、５６０Ｇ、５６０Ｂ、映像処理装置５７０、ＣＰＵ（Central Processing Unit）５８０、操作受付部５９０を含んでいてもよい。また、プロジェクター５００とアクティブシャッターメガネ４１０とを含むプロジェクターシステム４００として構成することも可能である。
【００４７】
映像信号変換部５１０は、外部から入力された映像信号５０２（輝度−色差信号やアナログＲＧＢ信号など）を所定のワード長のデジタルＲＧＢ信号に変換して映像信号５１２Ｒ、５１２Ｇ、５１２Ｂを生成し、映像処理装置５７０に供給する。また、映像信号変換部５１０は、映像信号５０２を入力するための配線などの有無に関する情報や、映像信号５０２の有無に関する情報を、通信信号５１４を介してＣＰＵ５８０に出力してもよい。
【００４８】
映像処理装置５７０は、３つの映像信号５１２Ｒ、５１２Ｇ、５１２Ｂに対してそれぞれ映像処理を行い、液晶パネル５６０Ｒ、５６０Ｇ、５６０Ｂをそれぞれ駆動するための駆動信号５７２Ｒ、５７２Ｇ、５７２Ｂを液晶パネル５６０Ｒ、５６０Ｇ、５６０Ｂに供給する。液晶パネル５６０Ｒ、５６０Ｇ、５６０Ｂに入力される駆動信号５７２Ｒ、５７２Ｇ、５７２Ｂに基づいて、図１を用いて説明した光学系によって、スクリーン７００に映像が投影される。
【００４９】
直流電源装置８０は、外部の交流電源６００から供給される交流電圧を一定の直流電圧に変換し、トランス（図示しないが、直流電源装置８０に含まれる）の２次側にある映像信号変換部５１０、映像処理装置５７０及びトランスの１次側にある放電灯点灯装置１０に直流電圧を供給する。
【００５０】
放電灯点灯装置１０は、起動時に放電灯９０の電極間に高電圧を発生して絶縁破壊させて放電路を形成し、以後放電灯９０が放電を維持するための駆動電流Ｉを供給する。
【００５１】
液晶パネル５６０Ｒ、５６０Ｇ、５６０Ｂは、それぞれ駆動信号５７２Ｒ、５７２Ｇ、５７２Ｂに基づいて、先に説明した光学系を介して各液晶パネルに入射される色光の輝度を変調する。
【００５２】
操作受付部５９０は、プロジェクター５００に対する操作５９２を受け付け、操作５９２に関する情報を、通信信号５９４を介してＣＰＵ５８０に出力する。操作受付部５９０は、ボタン、レバー、スイッチなど、種々の公知の構成を含んで構成されていてもよい。また、操作受付部５９０は、公知の有線通信や無線通信を介して操作５９２を受け付けてもよい。
【００５３】
ＣＰＵ５８０は、プロジェクターの点灯開始から消灯に至るまでの動作を制御する。例えば、点灯命令や消灯命令を、通信信号５８２を介して放電灯点灯装置１０に出力してもよい。また、ＣＰＵ５８０は、放電灯点灯装置１０から放電灯９０の点灯状態を表す点灯情報を、通信信号５８４を介して受け取ってもよい。また、操作受付部５９０が受け付けた操作５９２に関する情報を、通信信号５９４を介して受け取ってもよい。
【００５４】
また、ＣＰＵ５８０は、プロジェクター５００の動作モードを判定する判定部１５０として機能してもよい。本実施形態においては、プロジェクター５００は、放電灯９０の駆動電力の最大値が互いに異なる複数の動作モードを有している。動作モードは、例えば、第１モードを、プロジェクター５００が３次元映像を投影する３次元モードとし、第２モードを、プロジェクター５００が２次元映像を放電灯９０の定格電力で投影する通常モードとし、第３モードを、プロジェクター５００が２次元映像を放電灯９０の定格電力の６０％程度で投影する低電力モードとしてもよい。
【００５５】
判定部１５０は、例えば、通信信号５１４に基づいて、映像信号５０２が３次元映像である場合に動作モードを第１モードとしたり、通信信号５９４に基づいて、操作受付部５９０が操作５９２として、プロジェクター５００の動作モードを低電力とする操作を受け付けた場合に動作モードを第３モードとしたり、他の場合には動作モードを第２モードとしたりしてもよい。
【００５６】
判定部１５０は、判定した動作モードに関する情報である動作モード情報を、通信信号５８２を介して放電灯点灯装置１０に出力してもよい。
【００５７】
さらに、ＣＰＵ５８０は、同期信号５１４に基づいて、画像信号５０２に同期してアクティブシャッターメガネ４１０を制御するための制御信号５８６を、有線又は無線の通信手段を介してアクティブシャッターメガネ４１０に出力してもよい。
【００５８】
アクティブシャッターメガネ４１０は、右シャッター４１２と左シャッター４１４を含んでいてもよい。右シャッター４１２及び左シャッター４１４は、制御信号５８６に基づいて開閉制御される。ユーザーがアクティブシャッターメガネ４１０を装着した場合に、右シャッター４１２が閉じられることにより、右目側の視野を遮ることができる。また、ユーザーがアクティブシャッターメガネ４１０を装着した場合に、左シャッター４１４が閉じられることにより、左目側の視野を遮ることができる。右シャッター４１２及び左シャッター４１４は、例えば、液晶シャッターで構成されていてもよい。
【００５９】
１−３．本実施形態における放電灯点灯装置の構成
図４は、放電灯点灯装置１０の回路構成の一例を示す図である。
【００６０】
放電灯点灯装置１０は、電力制御回路２０を含む。電力制御回路２０は、放電灯９０に供給する駆動電力を生成する。本実施形態においては、電力制御回路２０は、直流電源８０を入力とし、当該入力電圧を降圧して直流電流Ｉｄを出力するダウンチョッパー回路で構成されている。
【００６１】
電力制御回路２０は、スイッチ素子２１、ダイオード２２、コイル２３及びコンデンサー２４を含んで構成されることができる。スイッチ素子２１は、例えばトランジスターで構成することができる。本実施形態においては、スイッチ素子２１の一端は直流電源８０の正電圧側に接続され、他端はダイオード２２のカソード端子及びコイル２３の一端に接続されている。また、コイル２３の他端にはコンデンサー２４の一端が接続され、コンデンサー２４の他端はダイオード２２のアノード端子及び直流電源８０の負電圧側に接続されている。スイッチ素子２１の制御端子には制御部４０（後述）から電力制御信号が入力されてスイッチ素子２１のＯＮ／ＯＦＦが制御される。電力制御信号には、例えばＰＷＭ（Pulse Width Modulation）制御信号が用いられてもよい。
【００６２】
ここで、スイッチ素子２１がＯＮすると、コイル２３に電流が流れ、コイル２３にエネルギーが蓄えられる。その後、スイッチ素子２１がＯＦＦすると、コイル２３に蓄えられたエネルギーがコンデンサー２４とダイオード２２とを通る経路で放出される。その結果、スイッチ素子２１がＯＮする時間の割合に応じた直流電流Ｉｄが発生する。
【００６３】
放電灯点灯装置１０は、極性反転回路３０を含む。極性反転回路３０は、電力制御回路２０から出力される直流電流Ｉｄを入力し、所与のタイミングで極性反転することにより、制御された時間だけ継続する直流であったり、任意の周波数をもつ交流であったりする駆動電流Ｉを生成出力する。本実施形態においては、極性反転回路３０はインバーターブリッジ回路（フルブリッジ回路）で構成されている。
【００６４】
極性反転回路３０は、例えば、トランジスターなどで構成される第１のスイッチ素子３１、第２のスイッチ素子３２、第３のスイッチ素子３３及び第４のスイッチ素子３４を含み、直列接続された第１のスイッチ素子３１及び第２のスイッチ素子３２と、直列接続された第３のスイッチ素子３３及び第４のスイッチ素子３４を、互いに並列接続して構成される。第１のスイッチ素子３１、第２のスイッチ素子３２、第３のスイッチ素子３３及び第４のスイッチ素子３４の制御端子には、それぞれ制御部４０から極性反転制御信号が入力され、極性反転制御信号に基づいて第１のスイッチ素子３１、第２のスイッチ素子３２、第３のスイッチ素子３３及び第４のスイッチ素子３４のＯＮ／ＯＦＦが制御される。
【００６５】
極性反転回路３０は、第１のスイッチ素子３１及び第４のスイッチ素子３４と、第２のスイッチ素子３２及び第３のスイッチ素子３３を交互にＯＮ／ＯＦＦを繰り返すことにより、電力制御回路２０から出力される直流電流Ｉｄの極性を交互に反転し、第１のスイッチ素子３１と第２のスイッチ素子３２との共通接続点及び第３のスイッチ素子３３と第４のスイッチ素子３４との共通接続点から、制御された時間だけ継続する直流であったり、制御された周波数をもつ交流であったりする駆動電流Ｉを生成出力する。
【００６６】
すなわち、第１のスイッチ素子３１及び第４のスイッチ素子３４がＯＮの時には第２のスイッチ素子３２及び第３のスイッチ素子３３をＯＦＦにし、第１のスイッチ素子３１及び第４のスイッチ素子３４がＯＦＦの時には第２のスイッチ素子３２及び第３のスイッチ素子３３をＯＮにするように制御する。したがって、第１のスイッチ素子３１及び第４のスイッチ素子３４がＯＮの時には、コンデンサー２４の一端から第１のスイッチ素子３１、放電灯９０、第４のスイッチ素子３４の順に流れる駆動電流Ｉが発生する。また、第２のスイッチ素子３２及び第３のスイッチ素子３３がＯＮの時には、コンデンサー２４の一端から第３のスイッチ素子３３、放電灯９０、第２のスイッチ素子３２の順に流れる駆動電流Ｉが発生する。
【００６７】
本実施形態において、電力制御回路２０と極性反転回路３０とを合わせて放電灯駆動部２３０に対応する。すなわち、放電灯駆動部２３０は、駆動電流Ｉを放電灯９０に供給することによって、放電灯９０に駆動電力を供給して放電灯９０を駆動する。
【００６８】
放電灯点灯装置１０は、制御部４０を含む。制御部４０は、駆動電力の最大値が互いに異なる複数の動作モードを有し、動作モードに基づいて放電灯駆動部２３０を制御する。図４に示される例では、制御部４０は、ＣＰＵ５８０の一部として構成された判定部１５０によって判定された動作モードに関する情報である動作モード情報を、通信信号５８２を介して受け付け、受け付けた動作モード情報に基づいて放電灯駆動部２３０を制御する。
【００６９】
また、図４に示される例では、制御部４０は、電力制御回路２０及び極性反転回路３０を制御することにより、放電灯９０へ供給される駆動電力、駆動電流Ｉが同一極性で継続する保持時間、駆動電流Ｉの電流値、周波数等を制御する。制御部４０は、極性反転回路３０に対して駆動電流Ｉの極性反転タイミングにより、駆動電流Ｉが同一極性で継続する保持時間、駆動電流Ｉの周波数等を制御する極性反転制御を行う。また、制御部４０は、電力制御回路２０に対して、出力される直流電流Ｉｄの電流値を制御することによって、放電灯９０へ供給される駆動電力を制御する駆動電力制御を行う。
【００７０】
制御部４０の構成は、特に限定されるものではないが、本実施形態においては、制御部４０は、システムコントローラー４１、電力制御回路コントローラー４２及び極性反転回路コントローラー４３含んで構成されている。なお、制御部４０は、その一部又は全てを半導体集積回路で構成されていてもよい。
【００７１】
システムコントローラー４１は、電力制御回路コントローラー４２及び極性反転回路コントローラー４３を制御することにより、電力制御回路２０及び極性反転回路３０を制御する。システムコントローラー４１は、後述される放電灯点灯装置１０内部に設けられた電圧検出部６０によって検出された駆動電圧Ｖｌａ及び駆動電流Ｉに基づき、電力制御回路コントローラー４２及び極性反転回路コントローラー４３を制御してもよい。
【００７２】
本実施形態においては、システムコントローラー４１は記憶部４４を含んで構成されている。なお、記憶部４４は、システムコントローラー４１とは独立に設けてもよい。
【００７３】
システムコントローラー４１は、記憶部４４に格納された情報に基づき、電力制御回路２０及び極性反転回路３０を制御してもよい。記憶部４４には、例えば駆動電流Ｉが同一極性で継続する保持時間、駆動電流Ｉの電流値、周波数、波形、変調パターン等の駆動パラメーターに関する情報が格納されていてもよい。
【００７４】
電力制御回路コントローラー４２は、システムコントローラー４１からの制御信号に基づき、電力制御回路２０へ電力制御信号を出力することにより、電力制御回路２０を制御する。
【００７５】
極性反転回路コントローラー４３は、システムコントローラー４１からの制御信号に基づき、極性反転回路３０へ極性反転制御信号を出力することにより、極性反転回路３０を制御する。
【００７６】
なお、制御部４０は、専用回路により実現して上述した制御や後述する処理の各種制御を行うようにすることもできるが、例えばＣＰＵ（Central Processing Unit）が記憶部４４等に記憶された制御プログラムを実行することによりコンピューターとして機能し、これらの処理の各種制御を行うようにすることもできる。図５は、制御部４０の他の構成例について説明するための図である。図５に示すように、制御部４０は、制御プログラムにより、電力制御回路２０を制御する電力制御手段４０−１、極性反転回路３０を制御する極性反転制御手段４０−２として機能するように構成してもよい。
【００７７】
また、図４に示される例では、制御部４０は、放電灯点灯装置１０の一部として構成されているが、制御部４０の機能の一部又は全部をＣＰＵ５８０が担うように構成されていてもよい。
【００７８】
放電灯点灯装置１０は、動作検出部を含んでもよい。動作検出部は、例えば放電灯９０の駆動電圧Ｖｌａを検出し、駆動電圧情報を出力する電圧検出部６０や、駆動電流Ｉを検出し、駆動電流情報を出力する電流検出部を含んでもよい。本実施形態においては、電圧検出部６０は、第１及び第２の抵抗６１及び６２を含んで構成され、電流検出部は、第３の抵抗６３を含んで構成されている。
【００７９】
本実施形態における電圧検出部６０は、本発明における状態検出部に対応する。すなわち、状態検出部（電圧検出部６０）は、放電灯９０の劣化状態の程度を表す値として駆動電圧Ｖｌａを検出する。
【００８０】
本実施形態において、電圧検出部６０は、放電灯９０と並列に、互いに直列接続された第１の抵抗６１及び第２の抵抗６２で分圧した電圧により駆動電圧Ｖｌａを検出する。また、本実施形態において、電流検出部は、放電灯９０に直列に接続された第３の抵抗６３に発生する電圧により駆動電流Ｉを検出する。
【００８１】
放電灯点灯装置１０は、イグナイター回路７０を含んでもよい。イグナイター回路７０は、放電灯９０の点灯開始時にのみ動作し、放電灯９０の点灯開始時に放電灯９０の電極間（第１電極９２と第２電極９３との間）を絶縁破壊して放電路を形成するために必要な高電圧（放電灯９０の通常点灯時よりも高い電圧）を放電灯９０の電極間（第１電極９２と第２電極９３との間）に供給する。本実施形態においては、イグナイター回路７０は、放電灯９０と並列に接続されている。
【００８２】
１−４．駆動電流の極性と電極の温度との関係
図６（Ａ）ないし図６（Ｄ）は、放電灯９０に供給する駆動電流Ｉの極性と電極の温度との関係を示す説明図である。図６（Ａ）及び図６（Ｂ）は、第１電極９２及び第２電極９３の動作状態を示している。図中には、第１電極９２及び第２電極９３の先端部分が示されている。第１電極９２及び第２電極９３の先端にはそれぞれ突起５５２ｐ、５６２ｐが設けられている。第１電極９２と第２電極９３の間で生じる放電は、主として突起５５２ｐと突起５６２ｐとの間で生じる。図６（Ａ）及び図６（Ｂ）に示される例では、突起が無い場合と比べて、第１電極９２及び第２電極９３における放電位置（アーク位置）の移動を抑えることができる。ただし、このような突起を省略してもよい。
【００８３】
図６（Ａ）は、第１電極９２が陽極として動作し、第２電極９３が陰極として動作する第１極性状態Ｐ１を示している。第１極性状態Ｐ１では、放電によって、第２電極９３（陰極）から第１電極９２（陽極）へ電子が移動する。陰極（第２電極９３）からは、電子が放出される。陰極（第２電極９３）から放出された電子は、陽極（第１電極９２）の先端に衝突する。この衝突によって熱が生じ、そして、陽極（第１電極９２）の先端（突起５５２ｐ）の温度が上昇する。
【００８４】
図６（Ｂ）は、第１電極９２が陰極として動作し、第２電極９３が陽極として動作する第２極性状態Ｐ２を示している。第２極性状態Ｐ２では、第１極性状態Ｐ１とは逆に、第１電極９２から第２電極９３へ電子が移動する。その結果、第２電極９３の先端（突起５６２ｐ）の温度が上昇する。
【００８５】
このように、陽極の温度は、陰極と比べて高くなりやすい。ここで、一方の電極の温度が他方の電極と比べて高い状態が続くことは、種々の不具合を引き起こし得る。例えば、高温電極の先端が過剰に溶けた場合には、意図しない電極変形が生じ得る。その結果、アーク長が適正値からずれる場合がある。また、低温電極の先端の溶融が不十分な場合には、先端に生じた微少な凹凸が溶けずに残り得る。その結果、いわゆるアークジャンプが生じる（アーク位置が安定せずに移動する）場合がある。
【００８６】
このような不具合を抑制する技術として、駆動電流Ｉとして、各電極の極性を繰り返し交替させる交流電流を放電灯９０に供給する交流駆動を利用可能である。図６（Ｃ）は、放電灯９０（図２）に供給される駆動電流Ｉの一例を示すタイミングチャートである。横軸は時間Ｔを示し、縦軸は駆動電流Ｉの電流値を示している。駆動電流Ｉは、放電灯９０を流れる電流を示す。正値は、第１極性状態Ｐ１を示し、負値は、第２極性状態Ｐ２を示す。図６（Ｃ）に示す例では、駆動電流Ｉとして矩形波交流電流が利用されている。そして、図６（Ｃ）に示す例では、第１極性状態Ｐ１と第２極性状態Ｐ２とが交互に繰り返されている。ここで、第１極性区間Ｔｐは、第１極性状態Ｐ１が続く時間を示し、第２極性区間Ｔｎは、第２極性状態Ｐ２が続く時間を示す。また、図６（Ｃ）に示す例では、第１極性区間Ｔｐの平均電流値はＩｍ１であり、第２極性区間Ｔｎの平均電流値は−Ｉｍ２である。なお、放電灯９０の駆動に適した駆動電流Ｉの周波数は、放電灯９０の特性に合わせて、実験的に決定可能である（例えば、３０Ｈｚ〜１ｋＨｚの範囲の値が採用される）。他の値Ｉｍ１、−Ｉｍ２、Ｔｐ、Ｔｎも、同様に実験的に決定可能である。
【００８７】
図６（Ｄ）は、第１電極９２の温度変化を示すタイミングチャートである。横軸は時間Ｔを示し、縦軸は温度Ｈを示している。第１極性状態Ｐ１では、第１電極９２の温度Ｈが上昇し、第２極性状態Ｐ２では、第１電極９２の温度Ｈが降下する。また、第１極性状態Ｐ１と第２極性状態Ｐ２状態が繰り返されるので、温度Ｈは、最小値Ｈｍｉｎと最大値Ｈｍａｘとの間で周期的に変化する。なお、図示は省略するが、第２電極９３の温度は、第１電極９２の温度Ｈとは逆位相で変化する。すなわち、第１極性状態Ｐ１では、第２電極９３の温度が降下し、第２極性状態Ｐ２では、第２電極９３の温度が上昇する。
【００８８】
第１極性状態Ｐ１では、第１電極９２（突起５５２ｐ）の先端が溶融するので、第１電極９２（突起５５２ｐ）の先端が滑らかになる。これにより、第１電極９２での放電位置の移動を抑制できる。また、第２電極９３（突起５６２ｐ）の先端の温度が降下するので、第２電極９３（突起５６２ｐ）の過剰な溶融が抑制される。これにより、意図しない電極変形を抑制できる。第２極性状態Ｐ２では、第１電極９２と第２電極９３の立場が逆である。したがって、２つの状態Ｐ１、Ｐ２を繰り返すことによって、第１電極９２及び第２電極９３のそれぞれにおける不具合を抑制できる。
【００８９】
ここで、電流Ｉの波形が対称である場合、すなわち、電流Ｉの波形が「｜Ｉｍ１｜＝｜−Ｉｍ２｜、Ｔｐ＝Ｔｎ」という条件を満たす場合には、第１電極９２と第２電極９３との間で、供給される電力の条件が同じである。したがって、第１電極９２及び第２電極９３の熱的条件（温度の上がりやすさや下がりやすさ）が同一であれば、第１電極９２と第２電極９３との間の温度差が小さくなるものと推定される。
【００９０】
また、電極が広い範囲にわたり加熱されすぎる（アークスポット（アーク放電に伴う電極表面上のホットスポット）が大きくなる）と過剰な溶融により電極の形状が崩れる。逆に、電極が冷えすぎる（アークスポットが小さくなる）と電極の先端が十分に溶融できず、先端を滑らかに戻せない、すなわち電極の先端が変形しやすくなる。
【００９１】
１−５．駆動電力の最大値と放電灯の電極の形状との関係
図７（Ａ）ないし図７（Ｃ）は、駆動電力の最大値と放電灯の電極の形状との関係を説明するための図である。図７（Ａ）ないし図７（Ｃ）は、第１電極９２及び第２電極９３の先端部分の形状を表している。図７（Ａ）は、駆動電力の最大値がＷｍ１の場合、図７（Ｂ）は、駆動電力の最大値がＷｍ２の場合、図７（Ｃ）は、駆動電力の最大値がＷｍ３の場合を表している。なお、ここではＷｍ１＞Ｗｍ２＞Ｗｍ３の大小関係を満たしているものとする。
【００９２】
駆動電力の最大値が大きくなるほど、アークスポットは大きくなる。したがって、駆動電力の最大値が大きくなるほど、突起５５２ｐ及び突起５６２ｐの土台の面積は大きくなる。第１電極９２から第２電極９３に向かう方向に垂直な平面における突起５５２ｐ及び突起５６２ｐの断面形状は略円形である。図７（Ａ）における突起５５２ｐの土台における直径をｄ１、図７（Ｂ）における突起５５２ｐの土台における直径をｄ２、図７（Ｃ）における突起５５２ｐの土台における直径をｄ３とすると、ｄ１＞ｄ２＞ｄ３の大小関係となる。
【００９３】
１−６．各動作モードにおける制御例
本実施形態に係るプロジェクター５００では、駆動電力の最大値が互いに異なる３つの動作モードを有している例について説明する。以下に説明される例では、第１モードは、プロジェクター５００が３次元映像を投影する３次元モードであり、第２モードは、プロジェクター５００が２次元映像を放電灯９０の定格電力で投影する通常モードであり、第３モードを、プロジェクター５００が２次元映像を放電灯９０の定格電力の６０％程度で投影する低電力モードである。
【００９４】
１−６−１．第１モードにおける制御例
本実施形態に係るプロジェクター５００は、第１モードにおいて、所与の切替タイミングで、第１映像（右目用映像）と第２映像（左目用映像）とを切り替えて交互に出力する。時間的に隣り合う切替タイミングに挟まれる期間は、第１期間で始まり、第２期間で終わり、制御部４０は、駆動電力が、第１期間では相対的に小さくなり、第２期間では相対的に大きくなるように放電灯駆動部２３０を制御する。すなわち、第１モードは、駆動電力が相対的に小さい第１期間と、駆動電力が相対的に大きい第２期間とを繰り返すモードである。
【００９５】
図８は、第１期間、第２期間及び切替タイミングについて説明するための図である。図８には、上から順に駆動信号５７２Ｒ，５７２Ｇ，５７２Ｂの内容、右シャッター４１２の開閉状態、左シャッター４１４の開閉状態、第１期間と第２期間、切替タイミングの時間的関係が示されている。図８の横軸は時間を表す。以下では、第１映像及び第２映像をそれぞれ左目用映像及び右目用映像として表示映像を観察者に立体視させる例について説明する。
【００９６】
図８に示される例では、駆動信号５７２Ｒ，５７２Ｇ，５７２Ｂは、時刻ｔ１から時刻ｔ３までの間は第１映像としての右目用映像、時刻ｔ３から時刻ｔ５までの間は第２映像としての左目用映像、時刻ｔ５から時刻ｔ７までの間は第１映像としての右目用映像、時刻ｔ７から時刻ｔ９までの間は第２映像としての左目用映像に対応する駆動信号となっている。したがって、図８に示される例では、プロジェクター５００は、時刻ｔ１、時刻ｔ３、時刻ｔ５、時刻ｔ７、時刻ｔ９を切替タイミングとして、第１映像としての右目用映像と第２映像としての左目用映像とを切り替えて交互に出力する。
【００９７】
時間的に隣り合う切替タイミングに挟まれる期間は、第１期間で始まり、第２期間で終わる。図８に示される例では、例えば、切替タイミングとなる時刻ｔ１と時刻ｔ３とに挟まれる期間は、時刻ｔ１から時刻ｔ２までの間の第１期間で始まり、時刻ｔ２から時刻ｔ３までの間の第２期間で終わる。切替タイミングとなる時刻ｔ３と時刻ｔ５とに挟まれる期間、切替タイミングとなる時刻ｔ５と時刻ｔ７とに挟まれる期間、切替タイミングとなる時刻ｔ７と時刻ｔ９とに挟まれる期間についても同様である。なお、図８に示される例では、第１期間の長さと第２期間の長さとを同一に表しているが、第１期間の長さと第２期間の長さは、必要に応じてそれぞれ適宜設定できる。また、第１期間と第２期間との間に、第３期間が存在していてもよい。第３期間においては、後述される第１期間及び第２期間における駆動電流Ｉの制御とは異なる制御を行ってもよい。
【００９８】
右シャッター４１２は、第１映像としての右目用映像に対応する駆動信号５７２Ｒ，５７２Ｇ，５７２Ｂが液晶パネル５６０Ｒ，５６０Ｇ，５６０Ｂに入力されている期間の少なくとも一部の期間で開いた状態となる。図８に示される例では、右シャッター４１２は、時刻ｔ１から時刻ｔ２までの間では閉じた状態であり、時刻ｔ２から時刻ｔ３までの間は開いた状態である。また、図８に示される例では、第２映像としての左目用映像に対応する駆動信号５７２Ｒ，５７２Ｇ，５７２Ｂが液晶パネル５６０Ｒ，５６０Ｇ，５６０Ｂに入力されている期間において、右シャッター４１２は、時刻ｔ３から閉じ始め、時刻ｔ３と時刻ｔ４との間で閉じ終わり、時刻ｔ４から時刻ｔ５までの間は閉じた状態である。時刻ｔ５から時刻ｔ９までの間における右シャッター４１２の開閉状態の変化は、時刻ｔ１から時刻ｔ５までの間の開閉状態の変化と同様である。
【００９９】
左シャッター４１４は、第２映像としての左目用映像に対応する駆動信号５７２Ｒ，５７２Ｇ，５７２Ｂが液晶パネル５６０Ｒ，５６０Ｇ，５６０Ｂに入力されている期間の少なくとも一部の期間で開いた状態となる。図８に示される例では、左シャッター４１４は、時刻ｔ３から時刻ｔ４までの間では閉じた状態であり、時刻ｔ４から時刻ｔ５までの間
は開いた状態である。また、図８に示される例では、第１映像としての右目用映像に対応する駆動信号５７２Ｒ，５７２Ｇ，５７２Ｂが液晶パネル５６０Ｒ，５６０Ｇ，５６０Ｂに入力されている期間において、左シャッター４１４は、時刻ｔ１から閉じ始め、時刻ｔ１と時刻ｔ２との間で閉じ終わり、時刻ｔ２から時刻ｔ３までの間は閉じた状態である。時刻ｔ５から時刻ｔ９までの間における左シャッター４１４の開閉状態の変化は、時刻ｔ１から時刻ｔ５までの間の開閉状態の変化と同様である。
【０１００】
図８に示される例では、第１映像としての右目用映像に対応する駆動信号５７２Ｒ，５７２Ｇ，５７２Ｂが液晶パネル５６０Ｒ，５６０Ｇ，５６０Ｂに入力されている期間においては、右シャッター４１２が閉じている期間が第１期間、右シャッター４１２が開いている期間が第２期間に対応している。また、図８に示される例では、第２映像としての左目用映像に対応する駆動信号５７２Ｒ，５７２Ｇ，５７２Ｂが液晶パネル５６０Ｒ，５６０Ｇ，５６０Ｂに入力されている期間においては、左シャッター４１４が閉じている期間が第１期間、左シャッター４１４が開いている期間が第２期間に対応している。また、図８に示される例では、第１期間においては、右シャッター４１２及び左シャッター４１４のいずれのシャッターも閉じている期間が存在している。
【０１０１】
図９は、第１モードにおける駆動電力の制御例を表すタイミングチャートである。横軸は時間、縦軸は放電灯９０に供給される駆動電力を表す。以下の説明においては、駆動電力Ｗ１〜Ｗ４の大小関係は、Ｗ１＜Ｗ２＜Ｗ３＜Ｗ４となっている。
【０１０２】
図９に示される例では、第１モードにおいて放電灯９０に供給される駆動電力は、第１期間では駆動電力Ｗ１、第２期間では駆動電力Ｗ４となっている。駆動電力の値は放電灯９０の仕様に基づいて実験的に決定することができる。図９に示される例では、駆動電力Ｗ１は７７Ｗ、駆動電力Ｗ４は３８３Ｗとなっている。したがって、第１モードにおける駆動電力の最大値Ｗｍ１は、駆動電力Ｗ４に相当する３８３Ｗとなっている。また、図９に示される例では、第１期間の長さと第２期間の長さとを同一の長さとしている。したがって、第１モードにおける第１期間及び第２期間を通じた駆動電力の平均値Ｗａ１は２３０Ｗとなっている。
【０１０３】
図１０（Ａ）ないし図１０（Ｃ）は、第１モードにおける駆動電流Ｉの制御例を表すタイミングチャートである。横軸は時間、縦軸は駆動電流Ｉを表す。図１０（Ａ）ないし図１０（Ｃ）においては、第１電極９２が陽極となる場合の駆動電流Ｉを正値、第２電極９３が陽極となる場合の駆動電流Ｉを負値として表す。以下の説明においては、駆動電流Ｉの絶対値Ｉ１〜Ｉ４の大小関係は、Ｉ１＜Ｉ２＜Ｉ３＜Ｉ４となっている。なお、放電灯９０の駆動電圧Ｖｌａが一定値とみなせる場合には、放電灯９０に供給される駆動電力は、駆動電流Ｉに比例する。
【０１０４】
図１０（Ａ）に示される例では、第１モードにおいて放電灯９０に供給される駆動電流Ｉは、第１期間では電流値が−Ｉ１から＋Ｉ１までであり、周波数が４８０Ｈｚで４周期分の交流電流、第２期間では電流値が＋Ｉ４であり、周波数が６０Ｈｚで１／２周期分の交流電流となっている。
【０１０５】
図１０（Ｂ）に示される例では、第１モードにおいて放電灯９０に供給される駆動電流Ｉは、第１期間では電流値が−Ｉ１から＋Ｉ１までであり、周波数が４８０Ｈｚで４周期分の交流電流、第２期間では電流値が−Ｉ４であり、周波数が６０Ｈｚで１／２周期分の交流電流となっている。
【０１０６】
図１０（Ｃ）に示される例では、第１モードにおいて放電灯９０に供給される駆動電流Ｉは、第１期間では電流値が−Ｉ１から＋Ｉ１までであり、周波数が４８０Ｈｚで４周期分の交流電流、第２期間では電流値が−Ｉ４から＋Ｉ４までであり、周波数が２４０Ｈｚで２周期分の交流電流となっている。
【０１０７】
第１モードにおける駆動電流Ｉは、例えば、図１０（Ａ）ないし図１０（Ｃ）に示される例のいずれかであってもよいし、図１０（Ａ）ないし図１０（Ｃ）に示される例の２つ以上を組み合わせてもよい。例えば、第１モードにおける駆動電流Ｉは、図１０（Ａ）、図１０（Ｃ）、図１０（Ｂ）、図１０（Ｃ）を１組として、これらが順に現れるように制御されていてもよい。
【０１０８】
１−６−２．第２モードにおける制御例
図１１（Ａ）は、第２モードにおける駆動電力の制御例を表すタイミングチャートである。横軸は時間、縦軸は放電灯９０に供給される駆動電力を表す。
【０１０９】
図１１（Ａ）に示される例では、第２モードにおいて放電灯９０に供給される駆動電力は、駆動電力Ｗ３の一定値となっている。駆動電力の値は放電灯９０の仕様に基づいて実験的に決定することができる。図１１（Ａ）に示される例では、駆動電力Ｗ３は２３０Ｗとなっている。したがって、第２モードにおける駆動電力の最大値Ｗｍ２は、駆動電力Ｗ３に相当する２３０Ｗとなっている。また、第２モードにおける駆動電力の平均値Ｗａ２は２３０Ｗとなっている。
【０１１０】
図１１（Ｂ）は、第２モードにおける駆動電流Ｉの制御例を表すタイミングチャートである。横軸は時間、縦軸は駆動電流Ｉを表す。図１１（Ｂ）においては、第１電極９２が陽極となる場合の駆動電流Ｉを正値、第２電極９３が陽極となる場合の駆動電流Ｉを負値として表す。
【０１１１】
図１１（Ｂ）に示される例では、第２モードにおいて放電灯９０に供給される駆動電流Ｉは、電流値が−Ｉ３から＋Ｉ３までであり、周波数が８０Ｈｚの交流電流となっている。
【０１１２】
１−６−３．第３モードにおける制御例
図１２（Ａ）は、第３モードにおける駆動電力の制御例を表すタイミングチャートである。横軸は時間、縦軸は放電灯９０に供給される駆動電力を表す。
【０１１３】
図１２（Ａ）に示される例では、第３モードにおいて放電灯９０に供給される駆動電力は、駆動電力Ｗ２の一定値となっている。駆動電力の値は放電灯９０の仕様に基づいて実験的に決定することができる。図１２（Ａ）に示される例では、駆動電力Ｗ２は１４０Ｗとなっている。したがって、第３モードにおける駆動電力の最大値Ｗｍ３は、駆動電力Ｗ２に相当する１４０Ｗとなっている。また、第３モードにおける駆動電力の平均値Ｗａ３は１４０Ｗとなっている。
【０１１４】
図１２（Ｂ）は、第３モードにおける駆動電流Ｉの制御例を表すタイミングチャートである。横軸は時間、縦軸は駆動電流Ｉを表す。図１２（Ｂ）においては、第１電極９２が陽極となる場合の駆動電流Ｉを正値、第２電極９３が陽極となる場合の駆動電流Ｉを負値として表す。
【０１１５】
図１２（Ｂ）に示される例では、第２モードにおいて放電灯９０に供給される駆動電流Ｉは、電流値が−Ｉ３から＋Ｉ３までであり、周波数が８０Ｈｚの交流電流となっている。
【０１１６】
１−７．移行期間における制御例
本実施形態において、制御部４０は、移行期間を経て動作モードを切り替え、移行期間の前半における駆動電流Ｉの周波数の平均値が、移行期間の後半における駆動電流Ｉの周波数の平均値よりも大きくなるように放電灯駆動部２３０を制御する。
【０１１７】
図１３（Ａ）ないし図１３（Ｆ）は、移行期間について説明するための図である。図１３（Ａ）に示される例では、制御部４０は、移行期間Ｔ１２を経て動作モードを第１モードから第２モードへと切り替えている。図１３（Ｂ）に示される例では、制御部４０は、移行期間Ｔ１３を経て動作モードを第１モードから第３モードへと切り替えている。図１３（Ｃ）に示される例では、制御部４０は、移行期間Ｔ２３を経て動作モードを第２モードから第３モードへと切り替えている。図１３（Ｄ）に示される例では、制御部４０は、移行期間Ｔ３２を経て動作モードを第３モードから第２モードへと切り替えている。図１３（Ｅ）に示される例では、制御部４０は、移行期間Ｔ２１を経て動作モードを第２モードから第１モードへと切り替えている。図１３（Ｆ）に示される例では、制御部４０は、移行期間Ｔ３１を経て動作モードを第３モードから第１モードへと切り替えている。
【０１１８】
図１４は、移行期間Ｔ１２、移行期間Ｔ１３、移行期間Ｔ２３及び移行期間Ｔ３２における制御例について説明するためのグラフである。横軸は移行期間の開始からの経過時間、縦軸は駆動電流Ｉの周波数を表す。また、図１４において、移行期間Ｔ１２については破線、移行期間Ｔ１３については実線、移行期間Ｔ２３については点線、移行期間Ｔ３２については一点鎖線で表す。
【０１１９】
図１４に示される例では、移行期間Ｔ１２の前半における駆動電流Ｉの周波数の平均値は２５０Ｈｚ、移行期間Ｔ１２の後半における駆動電流Ｉの周波数の平均値は１９２．５Ｈｚとなっている。すなわち、制御部４０は、移行期間Ｔ１２の前半における駆動電流Ｉの周波数の平均値が、移行期間Ｔ１２の後半における駆動電流Ｉの周波数の平均値よりも大きくなるように放電灯駆動部２３０を制御している。
【０１２０】
なお、移行期間Ｔ１２の直後（すなわち、第２モード）における駆動電流Ｉの周波数の平均値は８０Ｈｚである。したがって、移行期間Ｔ１２の前半における駆動電流Ｉの周波数の平均値、及び、移行期間Ｔ１２の後半における駆動電流Ｉの周波数の平均値はいずれも、移行期間Ｔ１２の直後における駆動電流Ｉの周波数の平均値よりも大きくなっている。
【０１２１】
また、図１４に示される例では、移行期間Ｔ１３の前半における駆動電流Ｉの周波数の平均値は３８０Ｈｚ、移行期間Ｔ１３の後半における駆動電流Ｉの周波数の平均値は２３５Ｈｚとなっている。すなわち、制御部４０は、移行期間Ｔ１３の前半における駆動電流Ｉの周波数の平均値が、移行期間Ｔ１３の後半における駆動電流Ｉの周波数の平均値よりも大きくなるように放電灯駆動部２３０を制御している。
【０１２２】
なお、移行期間Ｔ１３の直後（すなわち、第３モード）における駆動電流Ｉの周波数の平均値は１６５Ｈｚである。したがって、移行期間Ｔ１３の前半における駆動電流Ｉの周波数の平均値、及び、移行期間Ｔ１３の後半における駆動電流Ｉの周波数の平均値はいずれも、移行期間Ｔ１３の直後における駆動電流Ｉの周波数の平均値よりも大きくなっている。
【０１２３】
また、図１４に示される例では、移行期間Ｔ２３の前半における駆動電流Ｉの周波数の平均値は２２０Ｈｚ、移行期間Ｔ２３の後半における駆動電流Ｉの周波数の平均値は１９０Ｈｚとなっている。すなわち、制御部４０は、移行期間Ｔ２３の前半における駆動電流Ｉの周波数の平均値が、移行期間Ｔ２３の後半における駆動電流Ｉの周波数の平均値よりも大きくなるように放電灯駆動部２３０を制御している。
【０１２４】
なお、移行期間Ｔ２３の直後（すなわち、第３モード）における駆動電流Ｉの周波数の平均値は１６５Ｈｚである。したがって、移行期間Ｔ２３の前半における駆動電流Ｉの周波数の平均値、及び、移行期間Ｔ２３の後半における駆動電流Ｉの周波数の平均値はいずれも、移行期間Ｔ２３の直後における駆動電流Ｉの周波数の平均値よりも大きくなっている。
【０１２５】
図１４に示される例では、移行期間Ｔ３２の前半における駆動電流Ｉの周波数の平均値は１５２．５Ｈｚ、移行期間Ｔ３２の後半における駆動電流Ｉの周波数の平均値は１０５Ｈｚとなっている。すなわち、制御部４０は、移行期間Ｔ３２の前半における駆動電流Ｉの周波数の平均値が、移行期間Ｔ３２の後半における駆動電流Ｉの周波数の平均値よりも大きくなるように放電灯駆動部２３０を制御している。
【０１２６】
なお、移行期間Ｔ３２の直後（すなわち、第２モード）における駆動電流Ｉの周波数の平均値は８０Ｈｚである。したがって、移行期間Ｔ３２の前半における駆動電流Ｉの周波数の平均値、及び、移行期間Ｔ３２の後半における駆動電流Ｉの周波数の平均値はいずれも、移行期間Ｔ３２の直後における駆動電流Ｉの周波数の平均値よりも大きくなっている。
【０１２７】
本実施形態において、動作モードを切り替えると、駆動電力の最大値が変わる。本実施形態によれば、制御部４０は、移行期間を経て動作モードを切り替え、移行期間の前半における駆動電流Ｉの周波数の平均値が、移行期間の後半における駆動電流Ｉの周波数の平均値よりも大きくなるように放電灯駆動部２３０を制御するので、動作モードの切り替えによって駆動電力の最大値が小さくなる場合（上述の図１３（Ａ）、図１３（Ｂ）及び図１３（Ｃ）に対応する場合）には、放電灯９０の電極における放電の起点位置を早期に安定させることができる。また、動作モードの切り替えによって駆動電力の最大値が大きくなる場合（上述の図１３（Ｄ）に対応する場合）には、放電灯９０の電極において放電の起点となる突起が消失することを抑制できる。したがって、フリッカーの発生を抑制できるプロジェクターを実現できる。
【０１２８】
制御部４０は、移行期間の前半における駆動電流Ｉの周波数の最小値が、移行期間の後半における駆動電流Ｉの周波数の最小値よりも大きくなるように放電灯駆動部２３０を制御してもよい。
【０１２９】
図１４に示される例では、移行期間Ｔ１２の前半における駆動電流Ｉの周波数の最小値は２２０Ｈｚ、移行期間Ｔ１２の後半における駆動電流Ｉの周波数の最小値は１６５Ｈｚとなっている。すなわち、制御部４０は、移行期間Ｔ１２の前半における駆動電流Ｉの周波数の最小値が、移行期間Ｔ１２の後半における駆動電流Ｉの周波数の最小値よりも大きくなるように放電灯駆動部２３０を制御している。
【０１３０】
また、図１４に示される例では、移行期間Ｔ１３の前半における駆動電流Ｉの周波数の最小値は３６０Ｈｚ、移行期間Ｔ１３の後半における駆動電流Ｉの周波数の最小値は１９０Ｈｚとなっている。すなわち、制御部４０は、移行期間Ｔ１３の前半における駆動電流Ｉの周波数の最小値が、移行期間Ｔ１３の後半における駆動電流Ｉの周波数の最小値よりも大きくなるように放電灯駆動部２３０を制御している。
【０１３１】
また、図１４に示される例では、移行期間Ｔ２３の前半における駆動電流Ｉの周波数の最小値は２２０Ｈｚ、移行期間Ｔ２３の後半における駆動電流Ｉの周波数の最小値は１９０Ｈｚとなっている。すなわち、制御部４０は、移行期間Ｔ２３の前半における駆動電流Ｉの周波数の最小値が、移行期間Ｔ２３の後半における駆動電流Ｉの周波数の最小値よりも大きくなるように放電灯駆動部２３０を制御している。
【０１３２】
また、図１４に示される例では、移行期間Ｔ３２の前半における駆動電流Ｉの周波数の最小値は１４０Ｈｚ、移行期間Ｔ３２の後半における駆動電流Ｉの周波数の最小値は９５Ｈｚとなっている。すなわち、制御部４０は、移行期間Ｔ３２の前半における駆動電流Ｉの周波数の最小値が、移行期間Ｔ３２の後半における駆動電流Ｉの周波数の最小値よりも大きくなるように放電灯駆動部２３０を制御している。
【０１３３】
制御部４０が、移行期間の前半における駆動電流Ｉの周波数の最小値が、移行期間の後半における駆動電流Ｉの周波数の最小値よりも大きくなるように放電灯駆動部２３０を制御することよって、動作モードの切り替えによって駆動電力の最大値が小さくなる場合（上述の図１３（Ａ）、図１３（Ｂ）及び図１３（Ｃ）に対応する場合）には、放電灯９０の電極における放電の起点位置をさらに早期に安定させることができる。また、動作モードの切り替えによって駆動電力の最大値が大きくなる場合（上述の図１３（Ｄ）に対応する場合）には、放電灯９０の電極において放電の起点となる突起が消失することをさらに抑制できる。したがって、フリッカーの発生をさらに抑制できるプロジェクターを実現できる。
【０１３４】
制御部４０は、移行期間後の動作モードが、駆動電力が相対的に低い第１期間と、駆動電力が相対的に高い第２期間とを繰り返すモードである場合には、移行期間の前半における第２期間での駆動電流Ｉの周波数の最小値が、移行期間の後半における第２期間での駆動電流Ｉの周波数の最小値よりも大きくなるように放電灯駆動部２３０を制御してもよい。
【０１３５】
本実施形態において、第１モードは、駆動電力が相対的に小さい第１期間と、駆動電力が相対的に大きい第２期間とを繰り返すモードである。したがって、以下では図１３（Ｅ）及び図１３（Ｆ）の場合について説明する。
【０１３６】
図１５Ａ〜図１５Ｅは、移行期間Ｔ２１及び移行期間Ｔ３１における駆動電流Ｉの制御例を説明するためのタイミングチャートである。横軸は時間、縦軸は駆動電流Ｉを表す。
【０１３７】
図１５Ａに示される例では、駆動電流Ｉは、第１期間では電流値が−Ｉ１から＋Ｉ１までであり、周波数が４８０Ｈｚで４周期分の交流電流、第２期間では電流値が−Ｉ４から＋Ｉ４までであり、周波数が４８０Ｈｚで４周期分の交流電流となっている。
【０１３８】
図１５Ｂに示される例では、駆動電流Ｉは、第１期間では電流値が−Ｉ１から＋Ｉ１までであり、周波数が４８０Ｈｚで４周期分の交流電流、第２期間では電流値が−Ｉ４から＋Ｉ４までであり、周波数が２４０Ｈｚで２周期分の交流電流となっている。
【０１３９】
図１５Ｃに示される例では、駆動電流Ｉは、第１期間では電流値が−Ｉ１から＋Ｉ１までであり、周波数が４８０Ｈｚで４周期分の交流電流、第２期間では電流値が−Ｉ４から＋Ｉ４までであり、周波数が１２０Ｈｚで１周期分の交流電流となっている。
【０１４０】
図１５Ｄに示される例では、駆動電流Ｉは、第１期間では電流値が−Ｉ１から＋Ｉ１までであり、周波数が４８０Ｈｚで４周期分の交流電流、第２期間では電流値が−Ｉ４から＋Ｉ４までであり、周波数が８０Ｈｚで２／３周期分の交流電流となっている。
【０１４１】
図１５Ｅに示される例では、駆動電流Ｉは、第１期間では電流値が−Ｉ１から＋Ｉ１までであり、周波数が４８０Ｈｚで４周期分の交流電流、第２期間では電流値が−Ｉ４から＋Ｉ４までであり、周波数が６０Ｈｚで１／２周期分の交流電流となっている。
【０１４２】
図１６（Ａ）は、移行期間Ｔ２１の制御例を説明するための図、図１６（Ｂ）は、移行期間Ｔ３１の制御例を説明するための図である。図１６（Ａ）及び図１６（Ｂ）の横軸は時間を表す。また、図１６（Ａ）及び図１６（Ｂ）において、「Ａ」、「Ｂ」、「Ｃ」、「Ｄ」、「Ｅ」における駆動電流Ｉの制御は、それぞれ図１５Ａ、図１５Ｂ、図１５Ｃ、図１５Ｄ、図１５Ｅに対応する制御である。
【０１４３】
図１６（Ａ）に示される例では、移行期間Ｔ２１において、制御部４０は、時間順に図１５Ｂ、図１５Ｃ、図１５Ｄ、図１５Ｅに対応する駆動電流Ｉを放電灯９０に供給するように放電灯駆動部２３０を制御している。すなわち、移行期間Ｔ２１の前半における第２期間での駆動電流Ｉの周波数の最小値が、移行期間Ｔ２１の後半における第２期間での駆動電流Ｉの周波数の最小値よりも大きくなるように放電灯駆動部２３０を制御している。
【０１４４】
図１６（Ｂ）に示される例では、移行期間Ｔ３１において、制御部４０は、時間順に図１５Ａ、図１５Ｂ、図１５Ｃ、図１５Ｄ、図１５Ｅに対応する駆動電流Ｉを放電灯９０に供給するように放電灯駆動部２３０を制御している。すなわち、移行期間Ｔ３１の前半における第２期間での駆動電流Ｉの周波数の最小値が、移行期間Ｔ３１の後半における第２期間での駆動電流Ｉの周波数の最小値よりも大きくなるように放電灯駆動部２３０を制御している。
【０１４５】
第２期間は第１期間よりも駆動電力が大きいので、放電灯９０の電極の状態に対する影響が大きい。したがって、移行期間の前半における第２期間での駆動電流Ｉの周波数の最小値が、移行期間の後半における第２期間での駆動電流の周波数の最小値よりも大きくなるように放電灯駆動部２３０を制御することによって、フリッカーの発生をさらに抑制できる。
【０１４６】
制御部４０は、移行期間前の動作モードにおける駆動電力の最大値と、移行期間後の動作モードにおける駆動電力の最大値との差が大きいほど、移行期間の長さが長くなるように放電灯駆動部２３０を制御してもよい。
【０１４７】
本実施形態においては、第１モードにおける駆動電力の最大値はＷ４（＝３８３Ｗ）、第２モードにおける駆動電力の最大値はＷ３（＝２３０Ｗ）、第３モードにおける駆動電力の最大値はＷ２（＝１４０Ｗ）である。したがって、例えば、駆動電力の最大値が大きい動作モードから小さい動作モードへと変更する場合には、駆動電力の最大値の差が大きい順に、第１モードから第３モード、第１モードから第２モード、第２モードから第３モードとなる。
【０１４８】
図１４に示される例では、駆動電力の最大値が大きい動作モードから小さい動作モードへと変更する場合には、移行期間の長さが長い順に、移行期間Ｔ１３、移行期間Ｔ１２、移行期間Ｔ２３となっている。すなわち、移行期間前の動作モードにおける駆動電力の最大値と、移行期間後の動作モードにおける駆動電力の最大値との差が大きいほど、移行期間の長さが長くなっている。
【０１４９】
また、図１６に示される例では、駆動電力の最大値が小さい動作モードから大きい動作モードへと変更する場合には、移行期間の長さが長い順に、移行期間Ｔ３１、移行期間Ｔ２１となっている。すなわち、移行期間前の動作モードにおける駆動電力の最大値と、移行期間後の動作モードにおける駆動電力の最大値との差が大きいほど、移行期間の長さが長くなっている。
【０１５０】
移行期間前の動作モードにおける駆動電力の最大値と、移行期間後の動作モードにおける駆動電力の最大値との差が大きいほど、移行期間前の動作モードで安定して駆動されやすい放電灯９０の電極の形状と、移行期間後の動作モードで安定して駆動されやすい放電灯９０の電極の形状との差が大きくなる。したがって、移行期間前の動作モードにおける駆動電力の最大値と、移行期間後の動作モードにおける駆動電力の最大値との差が大きいほど、移行期間の長さが長くなるように放電灯駆動部２３０を制御することによって、さらに緩やかに電極の形状を変えることで、フリッカーの発生をさらに抑制できる。
【０１５１】
制御部４０は、移行期間前の動作モードにおける駆動電力の最大値と、移行期間後の動作モードにおける駆動電力の最大値との差が大きいほど、移行期間の前半における駆動電流Ｉの周波数の平均値が高くなるように放電灯駆動部２３０を制御してもよい。
【０１５２】
図１４に示される例では、駆動電力の最大値が大きい動作モードから小さい動作モードへと変更する場合には、移行期間の前半における駆動電流Ｉの周波数の平均値が高い順に、移行期間Ｔ１３（３８０Ｈｚ）、移行期間Ｔ１２（２５０Ｈｚ）、移行期間Ｔ２３（２２０Ｈｚ）となっている。すなわち、移行期間前の動作モードにおける駆動電力の最大値と、移行期間後の動作モードにおける駆動電力の最大値との差が大きいほど、移行期間の前半における駆動電流Ｉの周波数の平均値が高くなっている。
【０１５３】
また、図１６に示される例では、駆動電力の最大値が小さい動作モードから大きい動作モードへと変更する場合には、移行期間の前半における駆動電流Ｉの周波数の平均値が高い順に、移行期間Ｔ３１、移行期間Ｔ２１となっている。すなわち、移行期間前の動作モードにおける駆動電力の最大値と、移行期間後の動作モードにおける駆動電力の最大値との差が大きいほど、移行期間の前半における駆動電流Ｉの周波数の平均値が高くなっている。
【０１５４】
移行期間前の動作モードにおける駆動電力の最大値と、移行期間後の動作モードにおける駆動電力の最大値との差が大きいほど、移行期間前の動作モードで安定して駆動されやすい放電灯９０の電極の形状と、移行期間後の動作モードで安定して駆動されやすい放電灯９０の電極の形状との差が大きくなる。したがって、移行期間前の動作モードにおける駆動電力の最大値と、移行期間後の動作モードにおける駆動電力の最大値との差が大きいほど、移行期間の前半における駆動電流Ｉの周波数の平均値が高くなるように放電灯駆動部２３０を制御することによって、動作モードの切り替えによって駆動電力の最大値が小さくなる場合には、放電灯の電極における放電の起点位置をさらに早期に安定させることができる。また、動作モードの切り替えによって駆動電力の最大値が大きくなる場合には、放電灯９０の電極において放電の起点となる突起が消失することをさらに抑制できる。したがって、フリッカーの発生をさらに抑制できるプロジェクターを実現できる。
【０１５５】
２．第１変形例に係るプロジェクター
次に、第１変形例に係るプロジェクターについて説明する。第１変形例に係るプロジェクターの光学系や回路等の構成は、上述のプロジェクター５００と同様である。したがって、以下では、第１変形例における駆動電流Ｉの具体例について説明する。
【０１５６】
第１変形例においては、第３モードが、駆動電流Ｉの周波数が相対的に高い期間と、駆動電流Ｉの周波数が相対的に低い期間とを繰り返す場合を例にとり説明する。なお、第２モードが、駆動電流Ｉの周波数が相対的に高い期間と、駆動電流Ｉの周波数が相対的に低い期間とを繰り返す場合においても、以下に説明される原理を同様に適用できる。
【０１５７】
また、以下では、移行期間Ｔ１３を例にとり説明する。なお、移行期間Ｔ２３においても以下に説明される原理を同様に適用できる。
【０１５８】
図１７は、第１変形例における移行期間Ｔ１３での制御例を説明するためのタイミングチャートである。横軸は時間、縦軸は駆動電流Ｉを表す。
【０１５９】
図１７に示されるように、制御部４０は、移行期間Ｔ１３において、駆動電流Ｉの周波数が相対的に高い第１ａ期間と、駆動電流Ｉの周波数が相対的に低い第２ａ期間とを繰り返すように放電灯駆動部２３０を制御してもよい。
【０１６０】
図１８は、第１変形例における移行期間Ｔ１３での制御例を説明するためのグラフである。横軸は移行期間の開始からの経過時間、縦軸は駆動電流Ｉの周波数を表す。図１８において、第１ａ期間における駆動電流Ｉの周波数を実線で、第２ａ期間における駆動電流Ｉの周波数を破線で表す。
【０１６１】
図１８に示される例では、第１ａ期間における駆動電流Ｉの周波数は、５００Ｈｚから２８０Ｈｚまで段階的に低くなっている。また、第２ａ期間における駆動電流Ｉの周波数は、３００Ｈｚから１００Ｈｚまで段階的に低くなっている。すなわち、制御部４０は、移行期間Ｔ１３の前半における駆動電流Ｉの周波数の平均値が、移行期間Ｔ１３の後半における駆動電流Ｉの周波数の平均値よりも大きくなるように放電灯駆動部２３０を制御している。したがって、プロジェクター５００と同様に、フリッカーの発生を抑制できる。
【０１６２】
また、制御部４０は、移行期間の前半の時間に対する、移行期間の前半において駆動電流Ｉの周波数が最小値となる時間の割合が、移行期間の後半の時間に対する、移行期間の後半において駆動電流Ｉの周波数が最小値となる時間の割合よりも小さくなるように放電灯駆動部２３０を制御してもよい。
【０１６３】
図１９は、第１変形例における移行期間Ｔ１３での他の制御例を説明するためのグラフである。横軸は移行期間の開始からの経過時間、縦軸は第１ａ期間と第２ａ期間との相対的な時間比率を表す。図１９において、第１ａ期間の時間比率を実線で、第２ａ期間の時間比率を破線で表す。
【０１６４】
図１９に示される例では、移行期間Ｔ１３における第１ａ期間の時間比率は、段階的に小さくなっている。また、移行期間Ｔ１３における第２ａ期間の時間比率は、段階的に大きくなっている。すなわち、制御部４０は、移行期間Ｔ１３の前半の時間に対する、移行期間Ｔ１３の前半において駆動電流Ｉの周波数が最小値となる時間の割合が、移行期間Ｔ１３の後半の時間に対する、移行期間Ｔ１３の後半において駆動電流Ｉの周波数が最小値となる時間の割合よりも小さくなるように放電灯駆動部２３０を制御している。
【０１６５】
図１９に示される例においても、動作モードの切り替えによって駆動電力の最大値が小さくなる場合には、放電灯９０の電極における放電の起点位置を早期に安定させることができる。また、動作モードの切り替えによって駆動電力の最大値が大きくなる場合には、放電灯の電極において放電の起点となる突起が消失することを抑制できる。したがって、フリッカーの発生をさらに抑制できるプロジェクターを実現できる。
【０１６６】
３．第２変形例に係るプロジェクター
次に、第２変形例に係るプロジェクターについて説明する。第２変形例に係るプロジェクターの光学系や回路等の構成は、上述のプロジェクター５００と同様である。したがって、以下では、第２変形例における駆動電流Ｉの具体例について説明する。
【０１６７】
また、以下では、移行期間Ｔ３１を例にとり説明する。なお、移行期間Ｔ２１においても以下に説明される原理を同様に適用できる。
【０１６８】
制御部４０は、移行期間後の動作モードが、駆動電力が相対的に小さい第１期間と、駆動電力が相対的に大きい第２期間とを繰り返すモードである場合には、移行期間の前半の時間に対する、移行期間の前半における第２期間での駆動電流Ｉの周波数が最小値となる時間の割合が、移行期間の後半の時間に対する、移行期間の後半における第２期間での駆動電流Ｉの周波数が最小値となる時間の割合よりも小さくなるように放電灯駆動部２３０を制御してもよい。
【０１６９】
以下では、第１モードにおける駆動電流Ｉは、図１０（Ａ）、図１０（Ｃ）、図１０（Ｂ）、図１０（Ｃ）を１組として、これらが順に現れるように制御されていている場合を例にとり説明する。
【０１７０】
図２０は、第２変形例における移行期間Ｔ３１での制御例を説明するためのグラフである。横軸は移行期間の開始からの経過時間、縦軸は駆動電流Ｉがそれぞれ図１０（Ａ）、図１０（Ｂ）及び図１０（Ｃ）に制御される時間の相対的な時間比率を表す。図２０において、図１０（Ａ）及び図１０（Ｂ）の時間比率を破線で、図１０（Ｃ）の時間比率を実線で表す。
【０１７１】
図２０に示される例では、移行期間Ｔ３１における図１０（Ａ）及び図１０（Ｂ）の時間比率は、段階的に大きくなっている。また、移行期間Ｔ３１における図１０（Ｃ）の時間比率は、段階的に小さくなっている。すなわち、制御部４０は、移行期間Ｔ３１の前半の時間に対する、移行期間Ｔ３１の前半における第２期間での駆動電流Ｉの周波数が最小値となる時間の割合が、移行期間Ｔ３１の後半の時間に対する、移行期間の後半における第２期間での駆動電流Ｉの周波数が最小値となる時間の割合よりも小さくなるように放電灯駆動部２３０を制御している。
【０１７２】
第２期間は第１期間よりも駆動電力が大きいため、放電灯９０の電極の状態に対する影響が大きい。したがって、移行期間の前半の時間に対する、移行期間の前半における第２期間での駆動電流Ｉの周波数の最小値となる時間の割合が、移行期間の後半の時間に対する、移行期間の後半における第２期間での駆動電流Ｉの周波数の最小値となる時間の割合よりも小さくなるように放電灯駆動部２３０を制御することによって、フリッカーの発生をさらに抑制できる。
【０１７３】
４．第３変形例に係るプロジェクター
次に、第３変形例に係るプロジェクターについて説明する。第３変形例に係るプロジェクターの光学系や回路等の構成は、上述のプロジェクター５００と同様である。したがって、以下では、第３変形例における駆動電流Ｉの具体例について説明する。
【０１７４】
制御部４０は、移行期間の直前の動作モードが継続した時間が長いほど、移行期間の長さが長くなるように放電灯駆動部２３０を制御してもよい。
【０１７５】
図２１は、第３変形例における移行期間Ｔ１２、移行期間Ｔ１３及び移行期間Ｔ２３での制御例を説明するためのグラフである。横軸は移行期間の直前の動作モードの継続時間、縦軸は移行期間の長さを表す。
【０１７６】
図２１に示される例では、移行期間の直前の動作モードの継続時間が長いほど、移行期間Ｔ１２、移行期間Ｔ１３及び移行期間Ｔ２３の長さは長くなっている。
【０１７７】
図２２は、第３変形例における移行期間Ｔ３１及び移行期間Ｔ２１での制御例を説明するためのグラフである。横軸は移行期間の直前の動作モードの継続時間、縦軸は移行期間の長さを表す。
【０１７８】
図２２に示される例では、移行期間の直前の動作モードの継続時間が長いほど、移行期間Ｔ３１及び移行期間Ｔ２１の長さは長くなっている。
【０１７９】
特定の動作モードが継続する時間が長くなるほど、放電灯９０の電極の形状は、その動作モードで安定して駆動されやすい形状となり、他の動作モードで安定して駆動されやすい形状との差が大きくなる。したがって、移行期間の直前の動作モードが継続した時間が長いほど、移行期間の長さが長くなるように放電灯駆動部２３０を制御することによって、さらに緩やかに電極の形状を変えることで、フリッカーの発生をさらに抑制できる。
【０１８０】
５．第４変形例に係るプロジェクター
次に、第４変形例に係るプロジェクターについて説明する。第４変形例に係るプロジェクターの光学系や回路等の構成は、上述のプロジェクター５００と同様である。したがって、以下では、第４変形例における駆動電流Ｉの具体例について説明する。
【０１８１】
制御部４０は、移行期間の直前の動作モードが継続した時間が長いほど、移行期間の前半における駆動電流Ｉの周波数の平均値が高くなるように放電灯駆動部２３０を制御してもよい。
【０１８２】
特定の動作モードが継続する時間が長くなるほど、放電灯９０の電極の形状は、その動作モードで安定して駆動されやすい形状となり、他の動作モードで安定して駆動されやすい形状との差が大きくなる。したがって、移行期間の直前の動作モードが継続した時間が長いほど、移行期間の前半における駆動電流Ｉの周波数の平均値が高くなるように放電灯駆動部２３０を制御することによって、動作モードの切り替えによって駆動電力の最大値が小さくなる場合には、放電灯９０の電極における放電の起点位置をさらに早期に安定させることができる。また、動作モードの切り替えによって駆動電力の最大値が大きくなる場合には、放電灯９０の電極において放電の起点となる突起が消失することをさらに抑制できる。したがって、フリッカーの発生をさらに抑制できるプロジェクターを実現できる。
【０１８３】
６．第５変形例に係るプロジェクター
次に、第５変形例に係るプロジェクターについて説明する。第５変形例に係るプロジェクターの光学系や回路等の構成は、上述のプロジェクター５００と同様である。したがって、以下では、第５変形例における駆動電流Ｉの具体例について説明する。
【０１８４】
第５変形例に係るプロジェクターは、放電灯９０の劣化状態を検出する状態検出部を含み、制御部４０は、状態検出部で検出された劣化状態の進行に伴って、移行期間の長さが長くなるように放電灯駆動部２３０を制御してもよい。
【０１８５】
「１−３．本実施形態における放電灯点灯装置の構成」の項で述べたように、図４に示される電圧検出部６０が状態検出部に対応する。すなわち、第５変形例に係るプロジェクターにおいて、状態検出部（電圧検出部６０）は、放電灯９０の劣化状態の程度を表す値として駆動電圧Ｖｌａを検出する。一般的に、放電灯９０の電極の劣化状態が進行すると、駆動電圧Ｖｌａは大きくなる。
【０１８６】
劣化状態の程度を表す値としては駆動電圧Ｖｌａの値に限らず、状態検出部は、例えば、放電灯９０の駆動電圧Ｖｌａの時間変化、放電灯９０の光量、放電灯９０の光量の時間変化、放電灯９０の累積点灯時間等を検出してもよい。
【０１８７】
放電灯９０の電極の劣化状態が進行すると、電極の溶融性が低下するため、電極が意図せぬ形状に変形しやすく、フリッカーの発生のリスクが高くなる。したがって、劣化状態の進行に伴って、移行期間の長さが長くなるように放電灯駆動部２３０を制御することによって、放電灯９０の電極における放電の起点位置を早期に安定させることで、フリッカーの発生を抑制できる。
【０１８８】
７．第６変形例に係るプロジェクター
次に、第６変形例に係るプロジェクターについて説明する。第６変形例に係るプロジェクターの光学系や回路等の構成は、上述のプロジェクター５００と同様である。したがって、以下では、第６変形例における駆動電流Ｉの具体例について説明する。
【０１８９】
第６変形例に係るプロジェクターは、放電灯９０の劣化状態を検出する状態検出部を含み、制御部４０は、状態検出部で検出された劣化状態の進行に伴って、移行期間の前半における駆動電流Ｉの周波数の平均値が高くなるように放電灯駆動部２３０を制御してもよい。
【０１９０】
以下では、移行期間Ｔ１３を例にとり説明する。なお、他の移行期間においても以下に説明される原理を同様に適用できる。
【０１９１】
図２３は、第６変形例における移行期間Ｔ１３での制御例を説明するためのグラフである。横軸は移行期間の開始からの経過時間、縦軸は駆動電流Ｉの周波数を表す。図２３において、駆動電圧Ｖｌａが８０Ｖの場合における駆動電流Ｉの周波数を実線で、駆動電圧Ｖｌａが１００Ｖの場合における駆動電流Ｉの周波数を点線で、駆動電圧Ｖｌａが１２０Ｖの場合における駆動電流Ｉの周波数を一点鎖線で表す。
【０１９２】
図２３に示される例では、駆動電圧Ｖｌａが８０Ｖの場合における移行期間Ｔ１３の前半における駆動電流Ｉの周波数の平均値は２０５Ｈｚとなっている。また、駆動電圧Ｖｌａが１００Ｖの場合における移行期間Ｔ１３の前半における駆動電流Ｉの周波数の平均値は３７３Ｈｚとなっている。また、駆動電圧Ｖｌａが１２０Ｖの場合における移行期間Ｔ１３の前半における駆動電流Ｉの周波数の平均値は４８６Ｈｚとなっている。
【０１９３】
一般的に、放電灯９０の電極の劣化状態が進行すると、駆動電圧Ｖｌａは大きくなる。すなわち、図２３に示される例では、制御部４０は、状態検出部で検出された劣化状態の進行に伴って、移行期間の前半における駆動電流Ｉの周波数の平均値が高くなるように放電灯駆動部２３０を制御している。
【０１９４】
放電灯９０の電極の劣化状態が進行すると、電極の溶融性が低下するため、電極が意図せぬ形状に変形しやすく、フリッカーの発生のリスクが高くなる。したがって、劣化状態の進行に伴って、移行期間の前半における駆動電流の周波数の平均値が高くなるように放電灯駆動部２３０を制御することによって、放電灯９０の電極における放電の起点位置を早期に安定させることで、フリッカーの発生を抑制できる。
【０１９５】
８．第７変形例に係るプロジェクター
次に、第７変形例に係るプロジェクターについて説明する。第７変形例に係るプロジェクターの光学系や回路等の構成は、上述のプロジェクター５００と同様である。したがって、以下では、第７変形例における駆動電流Ｉの具体例について説明する。
【０１９６】
制御部４０は、移行期間前の動作モードにおける駆動電力の平均値である第１平均電力と、移行期間後の動作モードにおける駆動電力の平均値である第２平均電力とが異なる場合に、移行期間の少なくとも一部において、駆動電力が、第１平均電力と第２平均電力との中間の値になるように放電灯駆動部２３０を制御してもよい。
【０１９７】
以下では、移行期間Ｔ１３及び移行期間Ｔ３１を例にとり説明する。なお、他の移行期間においても以下に説明される原理を同様に適用できる。
【０１９８】
図２４は、第７変形例における移行期間Ｔ１３及び移行期間Ｔ３１での制御例を説明するためのグラフである。横軸は移行期間の開始からの経過時間、縦軸は駆動電力を表す。図２４において、移行期間Ｔ１３における駆動電力を実線で、移行期間Ｔ３１における駆動電力を破線で表す。
【０１９９】
移行期間Ｔ１３の直前の動作モードは第１モードであり、駆動電力の平均値は２３０Ｗである。移行期間Ｔ１３の直後の動作モードは第３モードであり、駆動電力の平均値は１４０Ｗである。移行期間Ｔ３１の直前の動作モードは第３モードであり、駆動電力の平均値は１４０Ｗである。移行期間Ｔ３１の直後の動作モードは第１モードであり、駆動電力の平均値は２３０Ｗである。
【０２００】
図２４に示される例では、移行期間Ｔ１３において、駆動電力は２３０Ｗから１６０Ｗまで段階的に小さくなっている。また、移行期間Ｔ３１において、駆動電力は１４０Ｗから２００Ｗまで段階的に大きくなっている。すなわち、制御部４０は、移行期間の一部において、駆動電力が、第１平均電力と第２平均電力との中間の値になるように放電灯駆動部２３０を制御している。
【０２０１】
このように、移行期間において駆動電力を緩やかに変化させることによって、さらに緩やかに電極の形状を変えることで、フリッカーの発生をさらに抑制できる。
【０２０２】
上記各実施形態においては、３つの液晶パネルを用いたプロジェクターを例示して説明したが、本発明はこれに限定されるものではなく、１つ、２つ又は４つ以上の液晶パネルを用いたプロジェクターにも適用可能である。
【０２０３】
上記各実施形態においては、透過型のプロジェクターを例示して説明したが、本発明はこれに限定されるものではなく、反射型のプロジェクターにも適用することが可能である。ここで、「透過型」とは、透過型の液晶パネル等のように光変調手段としての電気光学変調装置が光を透過するタイプであることを意味しており、「反射型」とは、反射型の液晶パネルやマイクロミラー型光変調装置などのように光変調手段としての電気光学変調装置が光を反射するタイプであることを意味している。マイクロミラー型光変調装置としては、例えば、ＤＭＤ（デジタルマイクロミラーデバイス；Texas Instruments社の商標）を用いることができる。反射型のプロジェクターにこの発明を適用した場合にも、透過型のプロジェクターと同様の効果を得ることができる。
【０２０４】
本発明は、投写画像を観察する側から投写するフロント投写型プロジェクターに適用する場合にも、投写画像を観察する側とは反対の側から投写するリア投写型プロジェクターに適用する場合にも可能である。
上記各実施形態においては、駆動電流Ｉの極性反転１／２周期の期間中は、駆動電流Ｉの絶対値は一定となっている。すなわち、駆動電流Ｉの波形は、いわゆる矩形状の波形となっている。駆動電流Ｉの波形はこれに限らず、駆動電流Ｉの極性反転半周期の期間中において、駆動電流Ｉの絶対値が、第１の電流値となる期間で始まり、第１の電流値よりも大きい第２の電流値となる期間で終わる波形や、駆動電流Ｉの極性反転半周期の期間中において、駆動電流Ｉの絶対値が単調増加する波形など、駆動電流Ｉの極性反転１周期の期間中において、駆動電流Ｉの絶対値が異なる値をとる波形であってもよい。
【０２０５】
なお、本発明は上述の実施形態に限定されず、本発明の要旨の範囲内で種々の変形実施が可能である。
【０２０６】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【０２０７】
１０  放電灯点灯装置、２０  電力制御回路、２１  スイッチ素子、２２  ダイオード、２３  コイル、２４  コンデンサー、３０  極性反転回路、３１  第１のスイッチ素子、３２  第２のスイッチ素子、３３  第３のスイッチ素子、３４  第４のスイッチ素子、４０  制御部、４０−１  電力制御手段、４０−２  極性反転制御手段、４１  システムコントローラー、４２  電力制御回路コントローラー、４３  極性反転回路コントローラー、４４  記憶部、５０  副反射鏡、６０  電圧検出部、６１  第１の抵抗、６２  第２の抵抗、６３  第３の抵抗、７０  イグナイター回路、８０  直流電源装置、９０  放電灯、９０ｅ１  第１端部、９０ｅ２  第２端部、９１  放電空間、９２  第１電極、９３  第２電極、１１２  主反射鏡、１１４  固定部材、１５０  判定部、２００  光源装置、２１０  光源ユニット、２３０  放電灯駆動部、３０５  平行化レンズ、３１０  照明光学系、３２０  色分離光学系、３３０Ｒ，３３０Ｇ，３３０Ｂ  液晶ライトバルブ、３４０  クロスダイクロイックプリズム、３５０  投写光学系、４００  プロジェクターシステム、４１０  アクティブシャッターメガネ、４１２  右シャッター、４１４  左シャッター、５００  プロジェクター、５０２  映像信号、５１０  映像信号変換部、５１２Ｒ，５１２Ｇ，５１２Ｂ  映像信号、５１４  通信信号、５２２  固定部材、５３４  導電性部材、５３６  第１端子、５４４  導電性部材、５４６  第２端子、５５２ｐ  突起、５６０Ｒ，５６０Ｇ，５６０Ｂ  液晶パネル、５６２ｐ  突起、５７０  映像処理装置、５７２Ｒ，５７２Ｇ，５７２Ｂ  駆動信号、５８０  ＣＰＵ、５８２  通信信号、５８４  通信信号、５８６  通信信号、５９０  操作受付部、５９２  操作、５９４  通信信号、６００  交流電源、７００  スクリーン
【図１】
0005668930.tif 000002
【図２】
0005668930.tif 000003
【図３】
0005668930.tif 000004
【図４】
0005668930.tif 000005
【図５】
0005668930.tif 000006
【図６】
0005668930.tif 000007
【図７】
0005668930.tif 000008
【図８】
0005668930.tif 000009
【図９】
0005668930.tif 000010
【図１０】
0005668930.tif 000011
【図１１】
0005668930.tif 000012
【図１２】
0005668930.tif 000013
【図１３】
0005668930.tif 000014
【図１４】
0005668930.tif 000015
【図１５Ａ】
0005668930.tif 000016
【図１５Ｂ】
0005668930.tif 000017
【図１５Ｃ】
0005668930.tif 000018
【図１５Ｄ】
0005668930.tif 000019
【図１５Ｅ】
0005668930.tif 000020
【図１６】
0005668930.tif 000021
【図１７】
0005668930.tif 000022
【図１８】
0005668930.tif 000023
【図１９】
0005668930.tif 000024
【図２０】
0005668930.tif 000025
【図２１】
0005668930.tif 000026
【図２２】
0005668930.tif 000027
【図２３】
0005668930.tif 000028
【図２４】
0005668930.tif 000029